(57)【要約】  基準信号処理のための方法が提供される。この例において、方法は、ＵＥにより、ネットワークデバイスからメッセージを受信する段階を含み、メッセージは、第１基準信号が第１リソースを介して伝送されること、及び、第２基準信号が第２リソースを介して伝送されることの両方を示す。方法はまた、ＵＥにより、ＵＥの機能、及び、ネットワークデバイスから受信したメッセージに従って、少なくとも第１基準信号を受信する段階を含む。
2021533652.tif 000002
【特許請求の範囲】
【請求項１】
基準信号処理のための方法であって、
ユーザ機器（ＵＥ）により、ネットワークデバイスからメッセージを受信する段階であって、前記メッセージは、第１基準信号が第１リソースを介して伝送されること、及び、第２基準信号が第２リソースを介して伝送されることの両方を示す、段階と、
前記ＵＥにより、前記ＵＥの機能、及び、前記ネットワークデバイスから受信した前記メッセージに従って、少なくとも前記第１基準信号を受信する段階と
を備える方法。
【請求項２】
前記第１基準信号及び前記第２基準信号は、異なる直交周波数分割多重（ＯＦＤＭ）ヌメロロジーを用いて伝送される、請求項１に記載の方法。
【請求項３】
前記第１基準信号は第１のビーム方向に従って伝送され、前記第２基準信号は第２のビーム方向に従って伝送される、請求項１又は２に記載の方法。
【請求項４】
少なくとも前記第１基準信号を受信する段階は、前記ＵＥが前記第１基準信号及び前記第２基準信号の両方の同時受信をサポートできるということに従って、前記第１基準信号及び前記第２基準信号の両方を受信する段階を有する、請求項１から３のいずれか一項に記載の方法。
【請求項５】
少なくとも前記第１基準信号を受信する段階は、前記ＵＥが前記第１基準信号及び前記第２基準信号の両方の同時受信をサポートできないということに従って、前記第２基準信号を受信することなく前記第１基準信号を受信する段階を有する、請求項１から３のいずれか一項に記載の方法。
【請求項６】
前記第１基準信号は、無線リンク監視（ＲＬＭ）処理のためのＲＬＭ基準信号であり、前記ＲＬＭ基準信号は、前記ＵＥのＴ３１０タイマの実行中に、前記ＵＥにより受信される、請求項５に記載の方法。
【請求項７】
前記第１基準信号は、ビーム障害検出（ＢＦＤ）処理のためのＢＦＤ基準信号であり、前記ＢＦＤ基準信号は、前記ＵＥのＢＦＤタイマの実行中に、前記ＵＥにより受信される、請求項５に記載の方法。
【請求項８】
前記第１基準信号は、ビーム障害回復（ＢＦＲ）処理のためのＢＦＲ基準信号であり、前記ＢＦＲ基準信号は、前記ＵＥのＢＦＲタイマの実行中に、前記ＵＥにより受信される、請求項５に記載の方法。
【請求項９】
前記第１基準信号は、無線リソース管理（ＲＲＭ）処理のためのＲＲＭ基準信号であり、前記ＲＲＭ基準信号がＳＳＢベースのＲＲＭ測定タイミング設定（ＳＭＴＣ）ウィンドウ内で伝送されるＳＳＢであることに応じて、前記ＵＥにより、前記ＲＲＭ基準信号が受信される、請求項５に記載の方法。
【請求項１０】
前記ＵＥにより、前記第１基準信号及び前記第２基準信号の両方の同時受信が前記ＵＥの前記機能によりサポートされていないと判定する段階と、
前記ＵＥにより、前記第２基準信号を無視する段階と
をさらに備える、請求項１に記載の方法。
【請求項１１】
前記ＵＥにより、前記受信した基準信号に基づいて、チャネル品質パラメータを測定する段階
をさらに備える、請求項１から１０のいずれか一項に記載の方法。
【請求項１２】
基準信号処理のための方法であって、
ネットワークデバイスにより、ユーザ機器（ＵＥ）からメッセージを受信する段階であって、前記メッセージは前記ＵＥの機能を示す、段階と、
前記ネットワークデバイスにより、前記ＵＥの前記機能に従って、第１基準信号及び第２基準信号をスケジューリングする段階であって、前記第１基準信号は、第１リソースを介して前記ＵＥに伝送されるように構成される、段階と
を備える方法。
【請求項１３】
前記ＵＥが前記第１リソースを介した前記第１基準信号及び第２リソースを介した前記第２基準信号の両方の同時受信をサポートできないということに従って、前記第２基準信号が前記第２リソースを介して前記ＵＥに伝送されることが回避される、請求項１２に記載の方法。
【請求項１４】
前記第２基準信号は、前記ＵＥが前記第１リソースを介した前記第１基準信号及び第２リソースを介した前記第２基準信号の両方の同時受信をサポートできるということに従って、前記第２リソースを介して前記ＵＥに伝送されるように構成される、請求項１２に記載の方法。
【請求項１５】
前記第１基準信号及び前記第２基準信号は、異なる直交周波数分割多重（ＯＦＤＭ）ヌメロロジーを用いて伝送される、請求項１２から１４のいずれか一項に記載の方法。
【請求項１６】
前記第１基準信号は第１のビーム方向に従って伝送され、前記第２基準信号は第２のビーム方向に従って伝送される、請求項１２から１５のいずれか一項に記載の方法。
【請求項１７】
前記第１基準信号は、無線リンク監視（ＲＬＭ）処理のためのＲＬＭ基準信号である、請求項１２から１６のいずれか一項に記載の方法。
【請求項１８】
前記第１基準信号は、ビーム障害検出（ＢＦＤ）処理のためのＢＦＤ基準信号である、請求項１２から１６のいずれか一項に記載の方法。
【請求項１９】
前記第１基準信号は、ビーム障害回復（ＢＦＲ）処理のためのＢＦＲ基準信号である、請求項１２から１６のいずれか一項に記載の方法。
【請求項２０】
前記第１基準信号は、無線リソース管理（ＲＲＭ）処理のためのＲＲＭ基準信号である、請求項１２から１６のいずれか一項に記載の方法。
【請求項２１】
ユーザ機器（ＵＥ）であって、
命令を備えるメモリストレージと、
前記メモリストレージと通信する１つ又は複数のプロセッサと
を備え、
前記１つ又は複数のプロセッサによる前記命令の実行は、前記ＵＥに、請求項１から１１のいずれか一項に記載の方法を実行させる、ＵＥ。
【請求項２２】
ネットワークデバイスであって、
命令を備えるメモリストレージと、
前記メモリストレージと通信する１つ又は複数のプロセッサと
を備え、
前記１つ又は複数のプロセッサによる前記命令の実行は、前記ネットワークデバイスに、請求項１２から２０のいずれか一項に記載の方法を実行させる、ネットワークデバイス。
【発明の詳細な説明】
【技術分野】
【０００１】
本願は、２０１８年８月１０日に米国特許商標庁に出願され、「ＵＥ固有のＲＳ多重化のための方法」と題する米国非仮特許出願第１６／１０１，３１９号明細書に対する優先権を主張し、本願は、ここでその全体が参照により本明細書に組み込まれる。
【０００２】
本開示は、無線通信のためのシステム及び方法、特に、多重化された基準信号を処理するためのシステム及び方法に関する。
【背景技術】
【０００３】
現代の無線通信システムは、モビリティ関連プロシージャに関するチャネル推定、復調及び測定などの様々な異なる目的で基準信号（ＲＳ）を用いている。一般に、基準信号は、例えば、受信したシンボル値を既知のシンボル値と比較することにより、受信器が通信チャネルの無線プロパティを推定できるように、通信チャネルを介して伝送される既知のシンボルのシーケンスである。協調送信／受信をサポートするネットワークにおいて、基準信号は、複数の通信チャネルを介して一斉に受信器へと通信され得る。これには、複数の基準信号伝送を同時受信することができない受信器、例えば、単一の受信チェーン又は単一の受信（ＲＸ）ビームフォーマーしか含んでいないレガシー受信器にとって問題があり得る。
【発明の概要】
【０００４】
技術的な利点は、複数の基準信号がＵＥへと同時に通信する場合、ある基準信号をその他よりも優先させるようユーザ機器（ＵＥ）に命令する本開示の実施形態により概して実現される。
【０００５】
本開示の一態様によれば、基準信号処理のための方法が提供され、方法は、ＵＥにより、ネットワークデバイスからメッセージを受信する段階を含み、メッセージは、第１基準信号が第１リソースを介して伝送されること、及び、第２基準信号が第２リソースを介して伝送されることの両方を示す。方法はまた、ＵＥにより、ＵＥの機能、及び、ネットワークデバイスから受信したメッセージに従って、少なくとも第１基準信号を受信する段階を含む。 
【０００６】
オプションで、前述の態様のいずれかのいくつかの実施形態において、第１基準信号及び第２基準信号は、異なる直交周波数分割多重（ＯＦＤＭ）ヌメロロジーを用いて伝送される。
【０００７】
オプションで、前述の態様のいずれかのいくつかの実施形態において第１基準信号は第１のビーム方向に従って伝送され、第２基準信号は第２のビーム方向に従って伝送される。
【０００８】
オプションで、前述の態様のいずれかのいくつかの実施形態において少なくとも第１基準信号を受信する段階は、ＵＥが第１基準信号及び第２基準信号の両方の同時受信をサポートしている場合、第１基準信号及び第２基準信号の両方を受信する段階を有する。 
【０００９】
オプションで、前述の態様のいずれかのいくつかの実施形態において、少なくとも第１基準信号を受信する段階は、ＵＥが第１基準信号及び第２基準信号の両方の同時受信をサポートしていない場合、第２基準信号を受信することなく第１基準信号を受信する段階を有する。
【００１０】
オプションで、前述の態様のいずれかのいくつかの実施形態において、第１基準信号は、無線リンク監視（ＲＬＭ）処理のためにＵＥにより測定されるＲＬＭ基準信号であり、ＲＬＭ基準信号は、ＵＥのＴ３１０タイマがトリガされており、さらに実行中である場合にＵＥにより受信される。
【００１１】
オプションで、前述の態様のいずれかのいくつかの実施形態において、第１基準信号は、ビーム障害検出（ＢＦＤ）処理のためにＵＥにより測定されるＢＦＤ基準信号であり、ＢＦＤ基準信号は、ＵＥのＢＦＤタイマがトリガされており、さらに実行中である場合にＵＥにより受信される。
【００１２】
オプションで、前述の態様のいずれかのいくつかの実施形態において、第１基準信号は、ビーム障害回復（ＢＦＲ）処理のためにＵＥにより測定されるＢＦＲ基準信号であり、ＢＦＲ基準信号は、ＵＥのＢＦＲタイマがトリガされており、さらに実行中である場合にＵＥにより受信される。
【００１３】
オプションで、前述の態様のいずれかのいくつかの実施形態において、第１基準信号は、無線リソース管理（ＲＲＭ）処理のためにＵＥにより測定されるＲＲＭ基準信号であり、ＲＲＭ基準信号は、ＲＲＭ基準信号がＳＳＢベースのＲＲＭ測定タイミング設定（ＳＭＴＣ）ウィンドウ内で伝送されるＳＳＢである場合にＵＥにより受信される。
【００１４】
本開示の別の態様によれば、基準信号処理のための方法が提供され、方法は、ネットワークデバイスにより、ＵＥからメッセージを受信する段階を含み、メッセージは、ＵＥの機能を示す。方法はまた、ネットワークデバイスにより、ＵＥの機能に従って、第１基準信号及び第２基準信号をスケジューリングする段階を含み、第１基準信号は、第１リソースを介してＵＥに伝送されるように構成される。
【００１５】
オプションで、前述の態様のいずれかのいくつかの実施形態において、ＵＥが第１リソースを介した第１基準信号及び第２リソースを介した第２基準信号の両方の同時受信をサポートしていない場合、第２基準信号が第２リソースを介してＵＥに伝送されることが回避される。
【００１６】
オプションで、前述の態様のいずれかのいくつかの実施形態において、第２基準信号は、ＵＥが第１リソースを介した第１基準信号及び第２リソースを介した第２基準信号の両方の同時受信をサポートしている場合に第２リソースを介してＵＥに伝送されるように構成される。
【００１７】
本開示の別の態様によれば、ＵＥが提供され、ＵＥは、命令を含む非一時的メモリストレージと、非一時的メモリストレージと通信する１つ又は複数のプロセッサとを備え、１つ又は複数のプロセッサは、命令を実行して、ネットワークデバイスからメッセージを受信する命令であって、メッセージは、第１基準信号が第１リソースを介して伝送されること、及び、第２基準信号が第２リソースを介して伝送されることの両方を示す、命令と、ＵＥの機能、及び、ネットワークデバイスから受信したメッセージに従って、少なくとも第１基準信号を受信する命令とを行う。
【００１８】
オプションで、前述の態様のいずれかのいくつかの実施形態において、第１リソース及び第２リソースは、時間領域において、閾値距離内に位置する。
【００１９】
オプションで、前述の態様のいずれかのいくつかの実施形態において、少なくとも第１基準信号を受信する段階は、ＵＥが第１基準信号及び第２基準信号の両方の同時受信をサポートしていない場合、第２基準信号を受信することなく第１基準信号を受信する段階を有する。
【００２０】
オプションで、前述の態様のいずれかのいくつかの実施形態において、第１基準信号は、ＲＬＭ処理のためにＵＥにより測定されるＲＬＭ基準信号であり、ＵＥの上位層では、ＵＥの下位層からｎ個の連続するＯｕｔ−ｏｆ−Ｓｙｎｃインジケーションを受信し、ｎはｎ３１０よりも小さい。
【００２１】
オプションで、前述の態様のいずれかのいくつかの実施形態において、第１基準信号は、ＢＦＤ処理のためにＵＥにより測定されるＢＦＤ基準信号であり、ＢＦＤ基準信号は、ＵＥの上位層がＵＥの下位層から少なくともｎ個のビーム障害インジケーションを受信した場合にＵＥにより受信され、ｎは閾値よりも小さい。
【００２２】
オプションで、前述の態様のいずれかのいくつかの実施形態において、第１基準信号は、ＢＦＲ処理のためにＵＥにより測定されるＢＦＲ基準信号であり、ＢＦＲ基準信号は、ＵＥの上位層がＵＥの下位層から少なくともｎ個のビーム障害インジケーションを受信した場合にＵＥにより受信され、ｎは閾値よりも小さい。
【００２３】
オプションで、前述の態様のいずれかのいくつかの実施形態において、第１基準信号は、ＲＲＭ処理のためにＵＥにより測定されるＲＲＭ基準信号であり、ＲＲＭ基準信号は、ＲＲＭ基準信号がＳＭＴＣウィンドウ内又はＳＭＴＣウィンドウ外に伝送されたＣＳＩ基準信号である場合にＵＥにより受信される。
【００２４】
本開示の別の態様によれば、ネットワークデバイスが提供され、ネットワークデバイスは、命令を含む非一時的メモリストレージと、非一時的メモリストレージと通信する１つ又は複数のプロセッサとを備え、１つ又は複数のプロセッサは、命令を実行して、ＵＥからメッセージを受信する命令であって、メッセージはＵＥの機能を示す、命令と、ＵＥの機能に従って、第１基準信号及び第２基準信号をスケジューリングする命令であって、第１基準信号は、第１リソースを介してＵＥに伝送されるように構成される、命令とを行う。
【００２５】
オプションで、前述の態様のいずれかのいくつかの実施形態において、ＵＥが第１リソースを介した第１基準信号及び第２リソースを介した第２基準信号の両方の同時受信をサポートしていない場合、第２基準信号が第２リソースを介してＵＥに伝送されることが回避される。
【００２６】
オプションで、前述の態様のいずれかのいくつかの実施形態において、第２基準信号は、ＵＥが第１リソースを介した第１基準信号及び第２リソースを介した第２基準信号の両方の同時受信をサポートしている場合に第２リソースを介してＵＥに伝送されるように構成される。
【００２７】
前述したものは、以下の本開示の詳細な説明がより理解しやすくなり得るために、本開示の実施形態の特徴をかなり大まかに概説したものである。これ以降、本開示の実施形態のさらなる特徴及び利点が説明され、本開示の特許請求の範囲の対象を形成する。開示される概念及び特定の実施形態は、本開示の同じ目的を実行するために、他の構造又は処理を修正又は設計するための基礎として容易に利用されることが当業者によって理解されるはずである。そのような均等な構造は、添付の特許請求の範囲に規定される本開示の趣旨及び範囲から逸脱するものではないことも当業者により理解されるはずである。
【図面の簡単な説明】
【００２８】
本開示及びこれらの利点のより完全な理解のために、これから、添付の図面と併せて以下の説明について言及する。
【００２９】
【図１】実施形態のネットワークアーキテクチャを示す。
【００３０】
【図２】ビームフォーミングを用いて基準信号を伝送する実施形態の図を示す。
【００３１】
【図３】ＵＥにより実行される実施形態の基準信号の処理方法を示す。
【００３２】
【図４】無線リンク監視（ＲＬＭ）基準信号を優先順位付けするための実施形態のルールを示す。
【００３３】
【図５】ＲＬＭ基準信号を優先順位付けするための別の実施形態のルールを示す。
【００３４】
【図６】ＲＬＭ基準信号を優先順位付けするための別の実施形態のルールを示す。
【００３５】
【図７】ビーム障害検出（ＢＦＤ）基準信号を優先順位付けするための実施形態のルールを示す。
【００３６】
【図８】ＢＦＤ基準信号を優先順位付けするための別の実施形態のルールを示す。
【００３７】
【図９】ビーム障害回復（ＢＦＲ）基準信号を優先順位付けするための実施形態のルールを示す。
【００３８】
【図１０】レイヤ３（Ｌ３）モビリティ基準信号を優先順位付けするための実施形態のルールを示す。
【００３９】
【図１１】Ｌ３モビリティ基準信号を優先順位付けするための別の実施形態のルールを示す。
【００４０】
【図１２】ＲＬＭ基準信号を優先順位付けするための別の実施形態のルールを示す。
【００４１】
【図１３】Ｌ３モビリティ基準信号を優先順位付けするための別の実施形態のルールを示す。
【００４２】
【図１４】ＲＬＭ基準信号を優先順位付けするための別の実施形態のルールを示す。
【００４３】
【図１５】基準信号を優先順位付けするためのルールの組み合わせを適用した実施形態を示す。
【００４４】
【図１６】基準信号を優先順位付けするためのルールの別の組み合わせを適用した実施形態を示す。
【００４５】
【図１７】ネットワークデバイスにより実行される実施形態の基準信号のスケジューリング方法を示す。
【００４６】
【図１８Ａ】実施形態のデバイスのブロック図を示す。
【図１８Ｂ】実施形態のデバイスのブロック図を示す。
【００４７】
【図１９】実施形態の送受信器のブロック図を示す。
【００４８】
概して、異なる図において対応する番号及び符号は、別の方法で示されない限り、対応する部分を参照されたい。図は、実施形態の関係性の態様を明確に示すために描かれており、必ずしも一定の縮尺で描かれているわけではない。
【発明を実施するための形態】
【００４９】
１つ又は複数の実施形態の例示的な実施例が以下に提供されるが、開示されたシステム及び／又は方法は、現在知られているか否かに関わらず、任意の数の技術を用いて実装されてよいことを最初に理解されたい。本開示は、本明細書において図示され説明される例示的な設計例及び実装形態を含む、以下に示される例示的な実装態様、図面、及び技法に決して限定されるべきではなく、添付の特許請求の範囲と共に、その均等物の全範囲内で修正されてよい。
【００５０】
現代の無線通信システムは、モビリティ関連プロシージャに関するチャネル推定、復調及び測定などの様々な異なる目的で基準信号（ＲＳ）を用いている。一般に、基準信号は、例えば、受信したシンボル値を既知のシンボル値と比較することにより、受信器が通信チャネルの無線プロパティを推定できるように、通信チャネルを介して伝送される既知のシンボルのシーケンスである。協調送信／受信をサポートするネットワークにおいて、基準信号は、複数の通信チャネルを介して一斉に受信器へと通信され得る。これには、複数の基準信号伝送を同時受信することができない受信器、例えば、単一の受信チェーン又は単一の受信（ＲＸ）ビームフォーマーしか含んでいないレガシー受信器にとって問題があり得る。 
【００５１】
本開示の態様は、複数の基準信号がＵＥへと同時に通信される場合、ある基準信号をその他よりも優先させるようユーザ機器（ＵＥ）に命令する実施形態の技術を提供する。一実施形態において、ＵＥは、異なる基準信号がＵＥに伝送されることを示す設定メッセージを受信してよい。ＵＥの機能がこれらの基準信号の同時受信をサポートしていない場合、ＵＥは、一方の基準信号を受信せずに他方を受信することを選択してよい。ＵＥは、ＵＥが受信した設定メッセージ及びＵＥが実行した以前の測定値に基づいて、いつ基準信号の受信を優先させるかを判定してよい。本開示の態様はまた、ネットワークデバイスが、ＵＥの機能に従って、多重化された基準信号の伝送をスケジューリングできる実施形態の技術を提供する。一例では、ネットワークデバイスは、ＵＥの機能を受信してよく、それに基づいて、ネットワークデバイスは、ＵＥに対する多重化された基準信号の伝送をスケジューリングしてよい。ＵＥの機能が両方の基準信号の同時受信をサポートしていない場合、ネットワークは、ＵＥに対する１つの基準信号の伝送を構成してよく、別の基準信号がＵＥに伝送されることを回避してよい。これら及び他の発明の態様が以下でより詳細に説明される。
【００５２】
図１は、基準信号を含むデータを通信するためのネットワーク１００である。ネットワーク１００は、カバレッジエリア１０１を有する基地局１１０と、複数のユーザ機器（ＵＥ）１２０と、バックホールネットワーク１３０とを備える。示されるように、基地局１１０は、ＵＥ１２０から基地局１１０及びその逆方向にデータを搬送する働きをするＵＥ１２０とのアップリンク（破線）及び／又はダウンリンク（点線）接続を確立する。アップリンク／ダウンリンク接続を介して搬送される信号は、ＵＥ１２０間で通信されるトラフィックデータ及び基準信号、並びに、バックホールネットワーク１３０を通じてリモートエンド（図示していない）へ／から通信されるデータを含んでよい。本明細書で用いられるように、用語「基地局」は、無線アクセスをネットワークに提供するように構成される任意のコンポーネント（又は、複数のコンポーネントの集合）、例えば、送信受信ポイント（ＴＲＰ）、進化型ノードＢ（ｅＮＢ）、次（第５）世代（５Ｇ）ノードＢ（ｇＮＢ）、マクロセル、フェムトセル、Ｗｉ‐Ｆｉ（登録商標）アクセスポイント（ＡＰ）又は他の無線通信が可能なデバイスを指す。基地局１１０は、１つ又は複数の無線通信プロトコル、例えば、第５世代新無線（５Ｇ＿ＮＲ）、ロングタームエボリューション（ＬＴＥ）、ＬＴＥアドバンスド（ＬＴＥ−Ａ）、高速パケットアクセス（ＨＳＰＡ）、Ｗｉ‐Ｆｉ（登録商標）８０２．１１ａ／ｂ／ｇ／ｎ／ａｃなどに従って、無線アクセスを提供してよい。本明細書で用いられるように、用語「ＵＥ」は、基地局との無線接続を確立することが可能な任意のコンポーネント（又は、複数のコンポーネントの集合）、例えば、モバイルデバイス、移動局（ＳＴＡ）及び他の無線通信が可能なデバイスを指す。いくつかの実施形態において、ネットワーク１００は、様々な他の無線デバイス、例えば、リレー、低電力ノードなどを備えてよい。
【００５３】
図２は、ビームフォーミング技術を用いて基準信号を伝送する図である。ビームフォーミングは、伝送（ＴＸ）及び受信（ＲＸ）性能の両方を改善するために用いられ得る。示されるように、基地局２１０は、ＴＸビーム２１１、２１３、２１５を（それぞれ）用いて、基準信号２３１、２３３、２３５を伝送し、ＵＥ２２０は、ＲＸビーム２２１、２２３、２２５を用いて、基準信号２３１、２３３、２３５を受信する。本明細書で用いられるように、用語「ビーム方向」は、無線アンテナパターン又はビームフォーミング重みのセットを指し、指向性信号の伝送及び／又は受信のために用いられる。用語「ビーム方向」及び「ビーム」は、本明細書において区別なく用いられる。図２により示される例では、ＵＥ２２０が１つの基地局のみから基準信号を受信しているが、ＵＥ２２０は、ＴＸビームのいくつかの別のセットを用いて、別の基地局（図２に示されていない）により伝送される基準信号を受信してよいことを理解されたい。
【００５４】
基準信号は、さまざまな異なる目的、例えば、無線リンク監視（ＲＬＭ）、ビーム障害検出（ＢＦＤ）、ビーム障害回復（ＢＦＲ）及び無線リソース管理（ＲＲＭ）などのために、通信され得る。ＲＬＭ処理のためにＵＥにより測定される基準信号は、ＲＬＭ基準信号と称され得る。ＢＦＤ処理のためにＵＥにより測定される基準信号は、ＢＦＤ基準信号と称され得る。ＢＦＲ処理のためにＵＥにより測定される基準信号は、ＢＦＲ基準信号と称され得る。ＲＲＭ処理のためにＵＥにより測定される基準信号は、ＲＲＭ基準信号と称され得る。用語、ＲＲＭ基準信号及びレイヤ３（Ｌ３）モビリティ基準信号は、本開示を通じて区別なく用いられる。基準信号は、チャネル状態情報（ＣＳＩ）基準信号、同期信号ブロック（ＳＳＢ）基準信号、復調基準信号（ＤＭＲＳ）又はいくつかの他のタイプの信号であり得る。本開示を通じて、ＳＳＢ及び物理ブロードキャストチャネル（ＰＢＣＨ）として伝送されるプライマリ及びセカンダリ同期信号は、「ＳＳＢ基準信号」がプライマリ同期信号、セカンダリ同期信号又はこれらの組み合わせを含むことができるとの理解のもとに、「ＳＳＢ基準信号」と総称される。
【００５５】
基準信号は、直交周波数分割多重（ＯＦＭＤ）技術を用いて伝送されてよく、異なる基準信号は、異なるＯＦＤＭヌメロロジーを有してよい。用語「ヌメロロジー」は、ＯＦＤＭ信号伝送の波形のパラメータ化を指す。ヌメロロジーを規定するパラメータは、限定されるものではないが、サブキャリ周波数、キャリア帯域幅、サイクリックプレフィックスの長さ、変調及び符号化方式、ＯＦＤＭシンボル毎のサンプル及びＯＦＤＭシンボルの長さを含んでよい。
【００５６】
ＵＥが別の周波数帯でターゲットセルにハンドオーバできる異周波数測定のために基準信号が用いられる場合、基準信号に対して測定ギャップが構成されてよい。１つの無線周波数（ＲＦ）送受信器を有するＵＥは、１つの周波数帯に対する測定を実行している間、別の周波数帯における無線通信リンクを維持しなくてよい。この課題を解決するために、「測定ギャップ」という名称の技術は、いくつかの特定の周波数帯での伝送及び受信のみが認められる間のギャップ期間を時間領域に作成する。ＵＥが測定ギャップを有する基準信号を受信した場合、測定ギャップの間に、ＵＥは、現在の周波数上での伝送及び受信を停止し、そのＲＦ送受信器を基準信号の周波数に切り替えて、基準信号に対する測定を実行し、そして、現在の周波数に切り戻してよい。
【００５７】
図３は、ＵＥにより実行される基準信号の処理方法３００の例を示す。段階３１０において、ＵＥは、第１基準信号が第１リソースを介して伝送されること、及び、第２基準信号が第２リソースを介して伝送されることを示すメッセージをネットワークデバイスから受信する。メッセージは、ＲＲＣメッセージ又はＭＡＣ制御エレメントなどの上位層シグナリングメッセージであってよい。一例では、メッセージは、第１基準信号が第１の時間−周波数リソースを介して伝送されること、及び、第２基準信号が第２の時間−周波数リソースを介して伝送されることを示す。メッセージはさらに、第１リソース及び第２リソースの位置、並びに、これらが一定の間隔で再発する場合にはこれらの基準信号の期間を示す。別の例では、メッセージは、第１基準信号が第１のビームを介して伝送されること、及び、第２基準信号が第２のビームを介して伝送されることを示す。
【００５８】
これらの基準信号の設定によって、ＵＥは、ＵＥの機能の制限に起因して、両方の基準信号の同時受信をサポートしていないかもしれない。例えば、基準信号が重複するリソースを介して受信される場合、ＵＥは、多重化技術を用いて互いにそれらを分離できないかもしれない。別の例では、基準信号は、２つの別個のＴＸビームを用いて伝送されるかもしれず、ＵＥは、１つのビームフォーマーしか有していないかもしれない。基準信号が同時に、又は、短期間内にＵＥに到達した場合、ＵＥは、そのＲＸビームを調整して両方の基準信号を受信するのに十分な時間を有していないかもしれない。いくつかの他の場合において、第１基準信号の測定ギャップの間に、第２基準信号が伝送された場合、ＵＥは、異なる周波数で第２基準信号を受信しないかもしれない。つまり、１つのヌメロロジーしかサポートしていないＵＥは、異なるヌメロロジーで伝送された複数の基準信号を受信しないかもしれない。
【００５９】
段階３２０において、ＵＥは、ＵＥの機能、及び、ネットワークデバイスから受信したメッセージに従って、少なくとも第１基準信号を受信する。段階３３０において、ＵＥは、ＵＥの機能が、第１基準信号及び第２基準信号の両方の同時受信をサポートしているか否かを判定する。両方の基準信号の同時受信がサポートされていない場合、方法３００は段階３５０に進み、ここで、ＵＥは、第２基準信号を無視するか、これを受信しないかを選択する。別の方法で、方法３００は段階３４０に進み、ここで、ＵＥは、オプションで、第２基準信号を受信してよい。
【００６０】
次に、方法３００は段階３６０に進み、ＵＥは、受信した基準信号に基づいてチャネル品質パラメータを測定する。チャネル品質パラメータは、ＵＥの伝送又は受信パラメータを調整するために用いられ、及び／又は、１つ又は複数のネットワークデバイスにフィードバックとして通信されてよい。
【００６１】
つまり、ＵＥに両方とも到達し得る第１基準信号及び第２基準信号を構成するメッセージを受信した後に、ＵＥは、ＵＥの機能に従って第１基準信号の受信を優先してよい。
【００６２】
いくつかの実施形態において、優先順位付けは、異なる形式をとり得る。一実施形態において、ＵＥは、第２基準信号を受信することなく第１基準信号を受信してよい。別の実施形態において、ＵＥは、第１基準信号のみを受信し、オプションで、第２基準信号を受信する。オプションで、第２基準信号を受信することは、ＵＥの実装に基づいて、又は、上位層シグナリングに基づいてよい。別の実施形態において、ＵＥは、両方の基準信号を受信し得るが、第１基準信号を対象とするタスクのみを実行する。別の実施形態において、ＵＥは、両方の基準信号を受信し得るが、第１基準信号を対象とするタスクのみを実行し、オプションで、第２基準信号を対象とするタスクを実行する。オプションで、第２基準信号を対象とするタスクを実行することは、ＵＥの実装に基づいて、又は、上位層シグナリングに基づいてよい。別の実施形態において、ＵＥは、第２基準信号を受信する前に、第１基準信号を受信してよい。別の実施形態において、ＵＥは、第１基準信号を受信し、第１基準信号を対象とするタスクを実行するが、第２基準信号を受信しない。別の実施形態において、ＵＥは、両方の基準信号を受信するが、第２基準信号を対象とするタスクを実行しない。別の実施形態において、ＵＥは、両方の基準信号を受信するが、第２基準信号を破棄する。上述した実施形態のいずれかにおいて、基準信号を対象とするタスクは、ＲＲＭ（モビリティ）測定、ＲＬＭ、ＢＦＤ又はＢＦＲであってよい。
【００６３】
いくつかの実施形態において、ＵＥが第１基準信号及び第２基準信号を受信し、かつ、第１基準信号に対する信号処理タスクを実行することに起因して、ＵＥが第１基準信号を用いる場合、以前の実施形態において説明されるユーザ固有の状況のもと、ＵＥは、第２基準信号を破棄することを選択してよい。信号を棄却することは、（限定されることはないが）、物理媒体（例えば、無線環境）を介して信号を受信し、それをノイズとして処理する動作、物理媒体を介して信号を受信し、受信した信号を干渉として処理する動作、及び、物理媒体を介して信号を受信し、信号強度が所与の閾値を下回ることに起因して、その信号に対する信号処理を何も実行しない動作のうちの１つをとることで構成されてよい。上述した事例のすべてにおいて、ＵＥは、破棄するために検索している信号をデコーディングするために、その信号処理リソースのいずれも用いることはない。
【００６４】
いくつかの実施形態において、ＵＥの挙動はまたは、ＵＥ固有の無線条件及び／又はＵＥが実行した以前の測定値に依存する。具体的には、ＵＥは、以下で挙げられるルールに基づいて基準信号を受信してよい。
【００６５】
一実施形態において、第１基準信号は、無線リンク監視（ＲＬＭ）基準信号であってよい。第２基準信号は、限定されることはないが、ＢＦＤ基準信号、ＢＦＲ基準信号又はＲＲＭ基準信号であってよい。
【００６６】
ＲＬＭは、Ｏｕｔ−ｏｆ−Ｓｙｎｃ（ＯＯＳ）及びＩｎ−Ｓｙｎｃ（ＩＳ）インジケーションをＵＥの上位層に提示する役割を果たし得る。連続する数のＲＬＭ基準信号の無線リンク品質が閾値Ｑｏｕｔを下回る場合、ＵＥの下位層（例えば、物理層）は、上位層（例えば、媒体アクセス制御（ＭＡＣ）層、無線リンク制御（ＲＬＣ）層、無線リソース制御（ＲＲＣ）層）にＯＯＳインジケーションを送信してよい。
【００６７】
図４を参照すると、ｎ３１０の連続するＯＯＳインジケーションが受信された場合、ＵＥはＴ３１０タイマを開始する。Ｔ３１０タイマが開始すると、ｎ３１１の連続するＩＳインジケーションが受信された場合、ＵＥは、Ｔ３１０タイマを停止してよい。別の方法では、ＵＥは、無線リンク障害を宣言してよい。本実施形態において、ＵＥのＴ３１０タイマがトリガされており、さらに実行中である場合、ＵＥは、ＲＬＭ基準信号の受信を優先してよい。
【００６８】
図５に示される別の実施形態において、ＵＥの上位層がＵＥの下位層からｎ個の連続するＯｕｔ−ｏｆ−Ｓｙｎｃインジケーションを受信した場合、ＵＥは、ＲＬＭ基準信号の受信を優先してよく、ｎは、ｎ３１０よりも小さい。
【００６９】
図６に示される別の実施形態において、ＵＥの上位層が、ＵＥの下位層からｎ'より少ない連続するＩｎ−Ｓｙｎｃインジケーションを受信した場合、ＵＥは、ＲＬＭ基準信号の受信を優先してよく、ｎ'は、ｎ３１１よりも小さい。
【００７０】
別の実施形態において、第１基準信号は、ビーム障害検出（ＢＦＤ）基準信号であってよい。第２基準信号は、限定されることはないが、ＲＬＭ基準信号、ＢＦＲ基準信号又はＲＲＭ基準信号であってよい。
【００７１】
ＢＦＤは、同期信号ブロック（ＳＳＢ）又はチャネル状態情報（ＣＳＩ）基準信号に対してビーム障害が検出されたことをサービング基地局に示す役割を果たし得る。図６に示されるように、ビーム障害例が検出された場合、ＵＥは、ＢＦＤタイマを開始してよい。ビーム障害の回数（例えば、３ＧＰＰ規格に規定されるようなｂｅａｍＦａｉｌｕｒｅＩｎｓｔａｎｃｅＭａｘＣｏｕｎｔ）が検出された場合、ＵＥは、ＢＦＲタイマを開始し、ＢＦＲプロシージャを実行してよい。図７に示されるように、ＵＥのＢＦＤタイマがトリガされており、さらに実行中である場合、ＵＥは、ＢＦＤ基準信号の受信を優先してよい。
【００７２】
図８に示される別の実施形態において、ＵＥの上位層がＵＥの下位層から少なくともｎ個のビーム障害インジケーションを受信した場合、ＵＥは、ＢＦＤ基準信号の受信を優先してよく、ｎは、閾値（例えば、３ＧＰＰ規格に規定されるようなｂｅａｍＦａｉｌｕｒｅＩｎｓｔａｎｃｅＭａｘＣｏｕｎｔ）よりも小さい。
【００７３】
別の実施形態において、第１基準信号は、ビーム障害回復（ＢＦＲ）基準信号であってよい。第２基準信号は、限定されることはないが、ＲＬＭ基準信号、ＢＦＤ基準信号又はＲＲＭ基準信号であってよい。図９に示されるように、ＵＥのＢＦＲタイマがトリガされており、さらに実行中である場合、ＵＥは、ＢＦＲ基準信号の受信を優先してよい。
【００７４】
別の実施形態において、第１基準信号は、リソース管理（ＲＲＭ）基準信号（Ｌ３モビリティ基準信号とも称される）であってよい。第２基準信号は、限定されることはないが、ＲＬＭ基準信号であってよい。ＵＥは、ＲＲＭ（又は、Ｌ３モビリティ）を用いて、サービングセル及び隣接セルの同一周波数内／異周波数間の基準信号受信電力（ＲＳＲＰ）／基準信号受信品質（ＲＳＲＱ）測定を実行してよい。同じＳＳＢは、ＲＬＭ処理及びＬ３モビリティ処理の両方のために構成されてよい。図１０に示されるように、ＵＥがＳＳＢベースのＲＲＭ測定タイミング設定（ＳＭＴＣ）ウィンドウ内にＳＳＢを受信するように構成されている場合、ＵＥは、Ｌ３モビリティ処理用のＳＳＢの受信を優先してよい。ＵＥがＳＭＴＣウィンドウ外にＳＳＢを受信するように構成されている場合、ＵＥは、ＲＬＭ処理用のＳＳＢの受信を優先してよい。
【００７５】
別の実施形態では、ＲＬＭ基準信号及びＬ３モビリティ基準信号は、同じＯＦＤＭシンボルにマッピングされてよい。ＲＬＭ基準信号及びＬ３モビリティ基準信号の両方は、タイプＤの疑似コロケーション（ＱＣＬ）関連性を有してよく、ＱＣＬ関連性は、両方の基準信号に対して測定を実行するときに、これらの基準信号が同じ空間受信（ＲＸ）パラメータを有しているとＵＥが仮定し得ることを意味する。この場合、ＵＥは、ＲＬＭ基準信号及びＬ３モビリティ基準信号の両方を受信し、両方の基準信号に対して対象とする測定タスクを実行してよい。
【００７６】
別の実施形態において、ＲＬＭ基準信号及びＬ３モビリティ基準信号は、同じＯＦＤＭシンボル又は隣接するＯＦＤＭシンボルにマッピングされてよい。図１１に示される例では、ＵＥは、Ｌ３モビリティ基準信号の受信を優先してよい。オプションで、ＵＥは、ＵＥの機能に従って、ＲＬＭ基準信号及びＬ３モビリティ基準信号の両方を受信してよい。
【００７７】
別の実施形態において、同じＣＳＩ基準信号が、ＲＬＭ処理及びＬ３モビリティ処理の両方のために構成される場合、ＵＥは、Ｌ３モビリティ処理用のＣＳＩ基準信号の受信を優先してよい。
【００７８】
図１２に示される別の実施形態において、第１基準信号はＲＬＭ基準信号であり、第２基準信号はＢＦＤ基準信号である。ＲＬＭ基準信号及びＢＦＤ基準信号が同じＯＦＤＭシンボルを介して重複するリソース上で伝送される場合、ＵＥは、ＲＬＭ基準信号の受信を優先してよい。ＲＬＭ基準信号及びＢＦＤ基準信号が同じＯＦＤＭシンボルを介するが、重複するリソース以外で伝送される場合、ＵＥは、ＲＬＭ基準信号の受信を優先してもよい。ＲＬＭ基準信号及びＢＦＤ基準信号が異なるＯＦＤＭシンボルを介して伝送される場合、ＵＥは、ＲＬＭ基準信号及びＢＦＤ基準信号の両方を受信し、両方の基準信号に対して対象とする操作／測定を実行してよい。
【００７９】
図１３に示される別の実施形態において、第１基準信号はＬ３モビリティ基準信号であり、第２基準信号はＢＦＤ基準信号である。Ｌ３モビリティ基準信号は、ＳＳＢであってよい。ＳＳＢ及びＢＦＤ基準信号が同じＯＦＤＭシンボルを介して、かつ、ＳＭＴＣウィンドウ内の重複するリソース上で伝送される場合、ＵＥは、ＳＳＢの受信を優先する。代わりに、Ｌ３モビリティ基準信号は、ＣＳＩ基準信号であってよい。ＣＳＩ基準信号及びＢＦＤ基準信号が同じＯＦＤＭシンボルを介して、かつ、ＳＭＴＣウィンドウ外で重複するリソース上で伝送される場合、ＵＥは、ＣＳＩ基準信号の受信を優先する。Ｌ３基準信号及びＢＦＤ基準信号が同じＯＦＤＭシンボルを介するが、重複するリソース以外で伝送される場合、ＵＥは、Ｌ３モビリティ基準信号の受信を優先してよい。Ｌ３基準信号及びＢＦＤ基準信号が異なるＯＦＤＭシンボルを介して伝送される場合、ＵＥは、両方の基準信号を受信し、これらに対して対象とする操作／測定を実行する。
【００８０】
図１４に示される別の実施形態において、第１基準信号はＲＬＭ基準信号であり、第２基準信号はＬ３モビリティ基準信号である。ＲＬＭ基準信号及びＬ３モビリティ基準信号が同じＯＦＤＭシンボル上で、かつ、重複するリソース上で伝送される場合、ＵＥは、ＲＬＭ基準信号の受信を優先する。ＲＬＭ基準信号及びＬ３モビリティ基準信号が同じＯＦＤＭシンボル上ではあるが、重複するリソース以外で伝送される場合、ＵＥは、ＲＬＭ基準信号の受信を優先する。代わりに、ＲＬＭ基準信号及びＬ３モビリティ基準信号が異なるＯＦＤＭシンボル上で伝送される場合、ＵＥは、ＲＬＭ基準信号及びＬ３モビリティ基準信号の両方を受信し、両方の基準信号に対して対象とする操作／測定を実行する。
【００８１】
ＵＥは、上記のルールの組み合わせを適用してよい。図１５に示される一実施形態において、ＵＥは、Ｌ３モビリティ処理用のＣＳＩ基準信号の受信を優先する。ＢＦＤタイマがトリガされた場合、ＵＥは、ＢＦＤ基準信号の受信を優先する。ビーム障害の回数（例えば、ｂｅａｍＦａｉｌｕｒｅＭａｘＩｎｓｔａｎｃｅＣｏｕｎｔ）が検出された後に、ＢＦＲタイマがトリガされると、ＵＥは、ＢＦＲ基準信号の受信を優先する。
【００８２】
図１６に示される別の実施形態において、ＵＥは、Ｌ３モビリティ処理用のＳＳＢ基準信号の受信を優先する。ＢＦＤタイマがトリガされた場合、ＵＥは、ＢＦＤ基準信号の受信を優先する。ビーム障害の回数（例えば、ｂｅａｍＦａｉｌｕｒｅＭａｘＩｎｓｔａｎｃｅＣｏｕｎｔ）が検出された後に、ＢＦＲタイマがトリガされると、ＵＥは、ＢＦＲ基準信号の受信を優先する。
【００８３】
図１７は、ネットワークデバイスにより実行される基準信号のスケジューリング方法１７００の例を示す。示されるように、段階１７１０において、ネットワークデバイスは、ＵＥからメッセージを受信する。メッセージは、ＵＥの機能を示してよい。段階１７２０において、ネットワークデバイスは、ＵＥに対する第１基準信号及び第２基準信号をスケジューリングし、スケジューリングは、ＵＥの機能に基づいている。一実施形態において、第１基準信号は、第１リソースを介してＵＥに伝送されるように構成される。ＵＥが第１リソースを介した第１基準信号及び第２リソースを介した第２基準信号の両方の同時受信をサポートしていない場合、第２基準信号が第２リソースを介してＵＥに伝送されることが回避される。別の実施形態において、第２基準信号は、ＵＥが第１リソースを介した第１基準信号及び第２リソースを介した第２基準信号の両方の同時受信をサポートしている場合に第２リソースを介してＵＥに伝送されるように構成される。
【００８４】
図１８Ａ及び図１８Ｂは、本開示に係る方法及び教示を実施し得る例示的なデバイスを示す。特に、図１８Ａは、例示的なＵＥ１８１０を示し、図１８Ｂは、例示的な基地局１８７０を示す。
【００８５】
図１８Ａに示されるように、ＵＥ１８１０は、少なくとも１つの処理ユニット１８００を含む。処理ユニット１８００は、ＵＥ１８１０の様々な処理オペレーションを実施する。例えば、処理ユニット１８００は、信号符号化、データ処理、電源制御、入力／出力処理、又は、ＵＥ１８１０がネットワークにおいて動作することを可能にする任意の他の機能性を実行し得る。処理ユニット１８００は、上記でより詳細に説明した機能及び／又は実施形態の一部又はすべてを実装するように構成されてもよい。各処理ユニット１８００は、１つ又は複数の演算を実行するように構成される任意の適切な処理デバイス又はコンピューティングデバイスを含む。各処理ユニット１８００は、例えば、マイクロプロセッサ、マイクロコントローラ、デジタル信号プロセッサ、フィールドプログラマブルゲートアレイ又は特定用途向け集積回路を含み得る。 
【００８６】
ＵＥ１８１０はまた、少なくとも１つの送受信器１８０２を含む。送受信器１８０２は、少なくとも１つのアンテナ、又は、ネットワークインタフェースコントローラ（ＮＩＣ）１８０４による伝送のためのデータ又は他のコンテンツを変調するように構成される。送受信器１８０２はまた、少なくとも１つのアンテナ１８０４により受信されるデータ又は他のコンテンツを復調するように構成される。各送受信器１８０２は、無線伝送用の信号を生成する、及び／又は、受信した信号を処理するための任意の適切な構造を含む。各アンテナ１８０４は、無線信号を伝送及び／又は受信するための任意の適切な構造を含む。１つ又は複数の送受信器１８０２がＵＥ１８１０において用いられることができ、１つ又は複数のアンテナ１８０４がＵＥ１８１０において用いられることができる。単一の機能ユニットとして示されているが、送受信器１８０２は、少なくとも１つの送信器及び少なくとも１つの別個の受信器を用いて実装されることもできる。
【００８７】
さらに、ＵＥ１８１０は、１つ又は複数の入出力デバイス１８０６又はインタフェースを含む。入力／出力デバイス１８０６は、ネットワークにおいてユーザデバイス又は他のデバイスとのインタラクションを可能にする。各入力／出力デバイス１８０６は、ユーザに情報を提供し、又は、ユーザから情報を受信するための任意の適切な構造、例えば、ネットワークインタフェース通信を含むスピーカ、マイク、キーパッド、キーボード、ディスプレイ、又は、タッチスクリーンを含む。
【００８８】
さらに、ＵＥ１８１０は、少なくとも１つのメモリ１８０８を含む。メモリ１８０８は、ＵＥ１８１０により用いられ、生成され、又は、収集される命令及びデータを格納する。例えば、メモリ１８０８は、上記で説明した機能及び／又は実施形態の一部又はすべてを実装するように構成され、処理ユニット１８００により実行されるソフトウェア命令又はモジュールを格納し得る。各メモリ１８０８は、任意の適切な揮発性及び／又は不揮発性ストレージ及び検索デバイスを含む。例えば、ランダムアクセスメモリ（ＲＡＭ）、リードオンリメモリ（ＲＯＭ）、ハードディスク、光ディスク、加入者識別モジュール（ＳＩＭ）カード、メモリスティック、及び、セキュアデジタル（ＳＤ）メモリカードなどの任意の適切なタイプのメモリが用いられてよい。図１８Ａに示されるようなコンポーネントは、例示の目的であり、ＵＥ１８１０は、図１８Ａに示されるコンポーネントの一部又はすべてを含んでよいことが理解される。
【００８９】
図１８Ｂに示されるように、基地局１８７０は、少なくとも１つの処理ユニット１８５０、少なくとも１つの送信器１８５２、少なくとも１つの受信器１８５４、１つ又は複数のアンテナ１８５６、少なくとも１つのメモリ１８５８、及び、１つ又は複数の入出力デバイス又はインタフェース１８６６を含む。示されていないが、送信器１８５２及び受信器１８５４の代わりに、送受信器が用いられてよい。スケジューラ１８５３は、処理ユニット１８５０に連結されてよい。スケジューラ１８５３は、基地局１８７０内に含まれてよい、又は、これとは別個に操作されてよい。処理ユニット１８５０は、基地局１８７０の様々な処理オペレーション、例えば、信号符号化、データ処理、電源制御、入力／出力処理、又は、任意の他の機能性を実施する。処理ユニット１８５０はまた、上記でより詳細に説明した機能及び／又は実施形態の一部又はすべてを実装するように構成され得る。各処理ユニット１８５０は、１つ又は複数の演算を実行するように構成される任意の適切な処理デバイス又はコンピューティングデバイスを含む。各処理ユニット１８５０は、例えば、マイクロプロセッサ、マイクロコントローラ、デジタル信号プロセッサ、フィールドプログラマブルゲートアレイ、又は、特定用途向け集積回路を含み得る。図１８Ｂに示されるコンポーネントは、例示の目的であり、基地局１８７０は、図１８Ｂに示されるコンポーネントの一部又はすべてを含んでよいことが理解される。
【００９０】
各送信器１８５２は、１つ又は複数のＵＥ又は他のデバイスに対する無線伝送用の信号を生成するための任意の適切な構造を含む。各受信器１８５４は、１つ又は複数のＵＥ又は他のデバイスから受信した信号を処理するための任意の適切な構造を含む。別個のコンポーネントとして示されているが、少なくとも１つの送信器１８５２及び少なくとも１つの受信器１８５４は、１つの送受信器に組み合わせられることができる。各アンテナ１８５６は、無線又は有線信号を伝送及び／又は受信するための任意の適切な構造を含む。ここでは、一般的なアンテナ１８５６が、送信器１８５２及び受信器１８５４の両方に連結されているものとして示されているが、１つ又は複数のアンテナ１８５６は、送信器１８５２に連結されることができ、１つ又は複数の別個のアンテナ１８５６は、受信器１８５４に連結されることができる。各メモリ１８５８は、任意の適切な揮発性及び／又は不揮発性ストレージ及び検索デバイス、例えば、ＵＥ１８１０に関連して上記で説明したものを含む。メモリ１８５８は、基地局１８７０により用いられ、生成され、又は、収集される命令及びデータを格納する。例えば、メモリ１８５８は、上記で説明した機能及び／又は実施形態の一部又はすべてを実装するように構成され、処理ユニット１８５０により実行されるソフトウェア命令又はモジュールを格納し得る。
【００９１】
各入力／出力デバイス１８６６は、ネットワークにおいてユーザデバイス又は他のデバイスとのインタラクションを可能にする。各入力／出力デバイス１８６６は、ユーザに情報を提供する、又は、ユーザから情報を受信／提供するための任意の適切な構造を含み、ネットワークインタフェース通信を含む。
【００９２】
図１９は、遠隔通信ネットワークを介してシグナリングを伝送及び受信するように適合される送受信器１９００のブロック図を示す。送受信器１９００は、ホストデバイスにインストールされてよい。示されるように、送受信器１９００は、ネットワーク側インタフェース１９０２、カプラ１９０４、送信器１９０６、受信器１９０８、信号プロセッサ１９１０、及び、デバイス側インタフェース１９１２を備える。ネットワーク側インタフェース１９０２は、無線又は有線遠隔通信ネットワークを介してシグナリングを伝送又は受信するように適合されるコンポーネントのうちの任意のコンポーネント又は集合を含んでよい。カプラ１９０４はネットワーク側インタフェース１９０２を介して、双方向通信を促進するように適合されるコンポーネントのうちの任意のコンポーネント又は集合を含んでよい。送信器１９０６は、ベースバンド信号を、ネットワーク側インタフェース１９０２を介した伝送に適している変調されたキャリア信号に変換するように適合されるコンポーネント（例えば、アップコンバータ、電力増幅器など）のうちの任意のコンポーネント又は集合を含んでよい。受信器１９０８は、ネットワーク側インタフェース１９０２を介して受信したキャリア信号をベースバンド信号に変換するように適合されるコンポーネント（例えば、ダウンコンバータ、低雑音増幅器など）のうちの任意のコンポーネント又は集合を含んでよい。信号プロセッサ１９１０は、ベースバンド信号を、デバイス側インタフェース１９１２を介した通信に適しているデータ信号に変換し、又は、その逆を行うように適合されるコンポーネントのうちの任意のコンポーネント又は集合を含んでよい。デバイス側インタフェース１９１２は、信号プロセッサ１９１０と、ホストデバイス内のコンポーネント（例えば、処理システム１８００、ローカルエリアネットワーク（ＬＡＮ）ポートなど）との間のデータ信号を通信するように適合されるコンポーネントのうちの任意のコンポーネント又は集合を含んでよい。
【００９３】
送受信器１９００は、任意のタイプの通信媒体を介してシグナリングを伝送及び受信してよい。いくつかの実施形態において、送受信器１９００は、無線媒体を介してシグナリングを伝送及び受信する。例えば、送受信器１９００は、無線遠隔通信プロトコル、例えば、セルラプロトコル（例えば、ＬＴＥなど）、無線ローカルエリアネットワーク（ＷＬＡＮ）プロトコル（例えば、Ｗｉ‐Ｆｉ（登録商標）など）、又は、任意の他のタイプの無線プロトコル（例えば、Ｂｌｕｅｔｏｏｔｈ（登録商標）、近距離無線通信（ＮＦＣ）など）に従って通信するように適合される無線送受信器であってよい。そのような実施形態において、ネットワーク側インタフェース１９０２は、１つ又は複数のアンテナ／放射素子を備える。例えば、ネットワーク側インタフェース１９０２は、単一のアンテナ、複数の別個のアンテナ、又は、例えば、単入力他出力（ＳＩＭＯ）、多入力単出力（ＭＩＳＯ）、多入力多出力（ＭＩＭＯ）などのマルチレイヤ通信のために構成されたマルチアンテナアレイを含んでよい。他の実施形態において、送受信器１９００は、例えば、ツイストペアケーブル、同軸ケーブル、光ファイバなどの有線媒体を介してシグナリングを伝送及び受信する。特定の処理システム及び／又は送受信器は、示されるコンポーネントのすべて、又は、コンポーネントのサブセットのみを利用してよく、統合のレベルは、デバイスごとに異なっていてよい。
【００９４】
本開示においていくつかの実施形態が提供されてきたが、開示されたシステム及び方法は、本開示の趣旨又は範囲から逸脱することなく他の多くの特定の形式で具現化されてよいことを理解されたい。本願の例は、例示的であって限定的ではないとみなされ、本明細書で与えられる細目に限定することを意図するものではない。例えば、様々な要素又はコンポーネントは、組み合わせられてよい、又は、別のシステムに統合されてよい、又は、ある特徴は、省略されてよい、又は、実装されなくてよい。
【００９５】
さらにディスクリート又は別個のものとして様々な実施形態において説明及び示される技術、システム、サブシステム及び方法は、本開示の範囲から逸脱することなく、組み合わせられてよい、又は、他システム、モジュール、技術又は方法と統合されてよい。連結又は直接連結され、又は、互いに通信するものとして説明又は示される他のアイテムは、電気的か、機械的か又は別の方法かに関わらず、いくつかのインタフェース、デバイス又は中間コンポーネントを通じて間接的に連結又は通信し得る。変更、置換及び修正についての他の例は、当業者により確かめられ、本明細書において開示される趣旨及び範囲から逸脱することなく行われ得る。
【００９６】
他の実施形態において、以下の概要では、所与のＵＥに向けて、所与のリソースにおいて基準信号を伝送することが可能なスケジューリングの利用可能性に対する制約により、ネットワークの挙動が拘束される。
［スケジューリングの利用可能性／制約（ＲＬＭ−ＲＳ−同じサブキャリア間隔）］
【００９７】
第１実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥが無線リンク監視を実行しているときに、無線リンク監視のための測定対象のＲＬＭ−ＲＳがマッピングされるシンボル上で第２基準信号をＵＥが受信する予定ではないことに起因して、ネットワークは、スケジューリング制約を適用する。
【００９８】
別の実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、ＦＲ２において伝送される。ＵＥが無線リンク監視を実行中であり、ＵＥが下位層からｎより多くの連続するＯｕｔ−ｏｆ−Ｓｙｎｃ（ＯＯＳ）インジケーションを受信した場合、無線リンク監視のための測定対象のＲＬＭ−ＲＳがマッピングされるシンボル上で第２基準信号をＵＥが受信する予定ではないことに起因してスケジューリング制約が適用される。ｎは、ｎ３１０よりも小さい数であり、上位層シグナリング（例えば、ＲＲＣ、ＭＡＣ−ＣＥ）を通じて構成されてよい。
【００９９】
別の実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、ＦＲ２において伝送される。ＵＥが無線リンク監視を実行中であり、Ｔ３１０タイマが上位層シグナリングにより構成されて実行中である場合、無線リンク監視のための測定対象のＲＬＭ−ＲＳがマッピングされるシンボル上で第２基準信号をＵＥが受信する予定ではないことに起因して、スケジューリング制約を適用する。
【０１００】
別の実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、ＦＲ２において伝送される。ＵＥが無線リンク監視を実行中であり、Ｔ３１０タイマが構成されて実行中であり、かつ、ＵＥが、下位層からｎ'よりも少ないＩｎ−Ｓｙｎｃ（ＩＳ）インジケーションを受信した場合、無線リンク監視のための測定対象のＲＬＭ−ＲＳがマッピングされるシンボル上で第２基準信号をＵＥが受信する予定ではないことに起因して、スケジューリング制約を適用する。ｎ'は、ｎ３１１よりも小さい数であり、上位層シグナリング（例えば、ＲＲＣ、ＭＡＣ−ＣＥ）を介して構成されてよい。
【０１０１】
別の実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、ＦＲ２において伝送される。ＵＥが無線リンク監視を実行中であり、第１基準信号及び第２基準信号がＱＣＬタイプＤではない場合、無線リンク監視のための測定対象のＲＬＭ−ＲＳがマッピングされるシンボル上で第２基準信号をＵＥが受信する予定ではないことに起因して、スケジューリング制約を適用する。
【０１０２】
別の実施形態において、第１基準信号が、ＲＬＭ−ＲＳであり、第２基準信号が、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、２つの基準信号がＦＲ１上で伝送される場合、ネットワークは、ＵＥが無線リンク監視機能に関する信号処理タスクを実行したことに起因して、スケジューリングの利用可能性に対するいずれの制約にも拘束されることはない。
【０１０３】
別の実施形態において、第１基準信号が、ＲＬＭ−ＲＳであり、第２基準信号が、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、ＵＥが、ＦＲ２上で同時に伝送される第１基準信号及び第２基準信号を受信することをサポートしている場合、ネットワークは、ＵＥが無線リンク監視機能に関する信号処理タスクを実行したことに起因して、スケジューリングの利用可能性に対するいずれの制約にも拘束されることはない。
【０１０４】
別の実施形態において、第１基準信号が、ＲＬＭ−ＲＳであり、第２基準信号が、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、第１基準信号及び第２基準信号が、ＦＲ２上で伝送されて疑似コロケートされる（ＱＣＬ）タイプＤである場合、ネットワークは、ＵＥが無線リンク監視機能に関する信号処理タスクを実行したことに起因して、スケジューリングの利用可能性に対するいずれの制約にも拘束されることはない。
【０１０５】
前述の実施形態は、周波数範囲１（ＦＲ１）及び周波数範囲２（ＦＲ２）に対して平等に適用可能である。前述の実施形態は、プライマリセル（Ｐセル）、プライマリセカンダリセル（ＰＳセル）、セカンダリセル（Ｓセル）及び隣接セルであるサービングセルに平等に適用可能である。前述の実施形態の適用は、ＵＥによりサポートされる機能、例えば、（限定されることはないが）ＵＥがＦＲ１における信号の並行受信をサポートしている、ＵＥがＦＲ２における信号の並行受信をサポートしている、ＵＥが同じサブキャリア間隔での信号の並行受信をサポートしている、ＵＥが異なるサブキャリア間隔での信号の並行受信をサポートしている、ということに依拠している。
［スケジューリングの利用可能性／制約（ＲＬＭ−ＲＳ−異なるサブキャリア間隔）］
【０１０６】
第１実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、異なるサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥが無線リンク監視を実行しているときに、ネットワークは、無線リンク監視のための測定対象のＲＬＭ−ＲＳがマッピングされるシンボル上で第２基準信号をＵＥが受信する予定ではないことに起因して、スケジューリング制約を適用する。
【０１０７】
別の実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、異なるサブキャリア間隔を有し、ＦＲ２において伝送される。ＵＥは、第１のサブキャリア間隔を介した第１基準信号、及び、第２のサブキャリア間隔を介した第２基準信号を同時に受信することをサポートしていない。ＵＥが無線リンク監視を実行中であり、ＵＥが下位層からｎより多くの連続するＯｕｔ−ｏｆ−Ｓｙｎｃ（ＯＯＳ）インジケーションを受信した場合、無線リンク監視のための測定対象のＲＬＭ−ＲＳがマッピングされるシンボル上で第２基準信号をＵＥが受信する予定ではないことに起因して、スケジューリング制約を適用する。ｎは、ｎ３１０よりも小さい数であり、上位層シグナリング（例えば、ＲＲＣ、ＭＡＣ−ＣＥ）を通じて構成されてよい。
【０１０８】
別の実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、異なるサブキャリア間隔を有し、ＦＲ２において伝送される。ＵＥは、第１のサブキャリア間隔を介した第１基準信号、及び、第２のサブキャリア間隔を介した第２基準信号を同時に受信することをサポートしていない。ＵＥが無線リンク監視を実行中であり、Ｔ３１０タイマが上位層シグナリングにより構成されて実行中である場合、無線リンク監視のための測定対象のＲＬＭ−ＲＳがマッピングされるシンボル上で第２基準信号をＵＥが受信する予定ではないことに起因して、スケジューリング制約を適用する。
【０１０９】
別の実施形態において、ネットワークは、ＵＥが無線リンク監視機能に関する信号処理タスクを実行したことに起因して適用するスケジューリングの利用可能性に対する制約により拘束される。第１基準信号は、ＲＬＭ−ＲＳであり、第２基準信号は、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、ＦＲ２において伝送される。ＵＥは、第１のサブキャリア間隔を介した第１基準信号、及び、第２のサブキャリア間隔を介した第２基準信号を同時に受信することをサポートしていない。ＵＥが無線リンク監視を実行中であり、Ｔ３１０タイマが構成されて実行中であり、かつ、ＵＥが下位層からｎ'よりも少ないＩｎ−Ｓｙｎｃ（ＩＳ）インジケーションを受信した場合、無線リンク監視のための測定対象のＲＬＭ−ＲＳがマッピングされるシンボル上で第２基準信号をＵＥが受信する予定ではないことに起因して、スケジューリング制約を適用する。ｎ'は、ｎ３１１よりも小さい数であり、上位層シグナリング（例えば、ＲＲＣ、ＭＡＣ−ＣＥ）を介して構成されてよい。
【０１１０】
別の実施形態において、第１基準信号が、ＲＬＭ−ＲＳであり、第２基準信号が、いくつかの他の基準信号（例えば、ＢＦＤ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、ＵＥが、ＦＲ２上で同時に伝送される異なるサブキャリア間隔で第１基準信号及び第２基準信号を受信することをサポートしている場合、ネットワークは、ＵＥが無線リンク監視機能に関する信号処理タスクを実行したことに起因して、スケジューリングの利用可能性に対するいずれの制約にも拘束されることはない。
【０１１１】
前述の実施形態は、周波数範囲１（ＦＲ１）及び周波数範囲２（ＦＲ２）に適用可能である。前述の実施形態は、プライマリセル（Ｐセル）、プライマリセカンダリセル（ＰＳセル）、セカンダリセル（Ｓセル）及び隣接セルであるサービングセルに適用可能である。前述の実施形態の適用は、ＵＥの機能、例えば、（限定されることはないが）ＵＥがＦＲ１における信号の並行受信をサポートしている、ＵＥがＦＲ２における信号の並行受信をサポートしている、ＵＥが同じサブキャリア間隔での信号の並行受信をサポートしている、ＵＥが異なるサブキャリア間隔での信号及び／又はチャネルの並行受信をサポートしている、ということに依拠している。
［スケジューリングの利用可能性／制約（ＢＦＤ−ＲＳ−同じサブキャリア間隔）
【０１１２】
第１実施形態において、ネットワークは、ＵＥがビーム管理機能（例えば、ビーム障害検出）に関する信号処理タスクを実行したことに起因して適用するスケジューリングの利用可能性に対する制約により拘束される。第１基準信号は、ＢＦＤ−ＲＳであり、第２基準信号は、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害検出を実行しているときに、ビーム障害検出のための測定対象であるＢＦＤ−ＲＳがマッピングされるシンボル上で第２基準信号をＵＥが受信する予定ではないことに起因して、ネットワークはスケジューリング制約を適用する。
【０１１３】
別の実施形態において、ネットワークは、ＵＥがビーム管理機能（例えば、ビーム障害検出）に関する信号処理タスクを実行したことに起因して適用するスケジューリングの利用可能性に対する制約により拘束される。第１基準信号は、ＢＦＤ−ＲＳであり、第２基準信号は、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害検出を実行中であり、ビーム障害検出タイマが構成されて実行中である場合、ネットワークは、ビーム障害検出のための測定対象であるＢＦＤ−ＲＳがマッピングされるシンボル上で第２基準信号をＵＥが受信する予定ではないことに起因して、スケジューリング制約を適用する。
【０１１４】
別の実施形態において、ネットワークは、ＵＥがビーム管理機能（例えば、ビーム障害検出）に関する信号処理タスクを実行したことに起因して適用するスケジューリングの利用可能性に対する制約により拘束される。第１基準信号は、ＢＦＤ−ＲＳであり、第２基準信号は、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害検出を実行中であり、ＵＥが下位層からｎ個のビーム障害インジケーションを受信した場合、ネットワークは、ビーム障害検出のための測定対象であるＢＦＤ−ＲＳがマッピングされるシンボル上で第２基準信号をＵＥが受信する予定ではないことに起因して、スケジューリング制約を適用する。ｎは、ビーム障害インジケーションの最大数よりも小さい数であり、上位層シグナリング（例えば、ＲＲＣ、ＭＡＣ−ＣＥ）を介して構成されてよい。
【０１１５】
別の実施形態において、ネットワークは、ＵＥがビーム管理機能（例えば、ビーム障害検出）に関する信号処理タスクを実行したことに起因して適用するスケジューリングの利用可能性に対する制約により拘束される。第１基準信号は、ＢＦＤ−ＲＳであり、第２基準信号は、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害検出を実行中であり、第１基準信号及び第２基準信号がＱＣＬタイプＤではない場合、ネットワークは、ビーム障害検出のための測定対象であるＢＦＤ−ＲＳがマッピングされるシンボル上で第２基準信号をＵＥが受信する予定ではないことに起因して、スケジューリング制約を適用する。
【０１１６】
別の実施形態において、第１基準信号が、ＢＦＤ−ＲＳであり、第２基準信号が、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、２つの基準信号がＦＲ１上で伝送される場合、ネットワークは、ＵＥがビーム管理機能に関する信号処理タスクを実行したことに起因して、スケジューリングの利用可能性に対するいずれの制約にも拘束されることはない。
【０１１７】
別の実施形態において、第１基準信号が、ＢＦＤ−ＲＳであり、第２基準信号が、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、ＵＥが、ＦＲ２上で同時に伝送される第１基準信号及び第２基準信号を受信することをサポートしている場合、ネットワークは、ＵＥがビーム管理機能に関する信号処理タスクを実行したことに起因して、スケジューリングの利用可能性に対するいずれの制約にも拘束されることはない。
【０１１８】
前述の実施形態は、周波数範囲１（ＦＲ１）及び周波数範囲２（ＦＲ２）に適用可能である。前述の実施形態は、プライマリセル（Ｐセル）、プライマリセカンダリセル（ＰＳセル）、セカンダリセル（Ｓセル）及び隣接セルであるサービングセルに適用可能である。前述の実施形態の適用は、ＵＥによりサポートされる機能、例えば、（限定されることはないが）ＵＥがＦＲ１における信号の並行受信をサポートしている、ＵＥがＦＲ２における信号の並行受信をサポートしている、ＵＥが同じサブキャリア間隔での信号の並行受信をサポートしている、ＵＥが異なるサブキャリア間隔での信号の並行受信をサポートしている、ということに依拠している。
［スケジューリングの利用可能性／制約（ＢＦＤ−ＲＳ−異なるサブキャリア間隔）］
【０１１９】
第１実施形態において、ネットワークは、ＵＥがビーム管理機能（例えば、ビーム障害検出）に関する信号処理タスクを実行したことに起因して適用するスケジューリングの利用可能性に対する制約により拘束される。第１基準信号は、ＢＦＤ−ＲＳであり、第２基準信号は、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、異なるサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがビーム障害検出を実行しているときに、ネットワークは、ビーム障害検出のための測定対象であるＢＦＤ−ＲＳがマッピングされるシンボル上で第２基準信号をＵＥが受信する予定ではないことに起因して、スケジューリング制約を適用する。
【０１２０】
別の実施形態において、ネットワークは、ＵＥがビーム管理機能（例えば、ビーム障害検出）に関する信号処理タスクを実行したことに起因して適用するスケジューリングの利用可能性に対する制約により拘束される。第１基準信号は、ＢＦＤ−ＲＳであり、第２基準信号は、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがビーム障害検出を実行中であり、ビーム障害検出タイマが構成されて実行中である場合、ネットワークは、ビーム障害検出のための測定対象であるＢＦＤ−ＲＳがマッピングされるシンボル上で第２基準信号をＵＥが受信する予定ではないことに起因して、スケジューリング制約を適用する。
【０１２１】
別の実施形態において、ネットワークは、ＵＥがビーム管理機能（例えば、ビーム障害検出）に関する信号処理タスクを実行したことに起因して適用するスケジューリングの利用可能性に対する制約により拘束される。第１基準信号は、ＢＦＤ−ＲＳであり、第２基準信号は、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがビーム障害検出を実行中であり、ＵＥが下位層からｎ個のビーム障害インジケーションを受信した場合、ネットワークは、ビーム障害検出のための測定対象であるＢＦＤ−ＲＳがマッピングされるシンボル上で第２基準信号をＵＥが受信する予定ではないことに起因して、スケジューリング制約を適用する。ｎは、ビーム障害インジケーションの最大数よりも小さい数であり、上位層シグナリング（例えば、ＲＲＣ、ＭＡＣ−ＣＥ）を介して構成されてよい。
【０１２２】
別の実施形態において、第１基準信号が、ＢＦＤ−ＲＳであり、第２基準信号が、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、２つの基準信号がＦＲ１上で伝送される場合、ネットワークは、ＵＥがビーム管理機能に関する信号処理タスクを実行したことに起因して、スケジューリングの利用可能性に対するいずれの制約にも拘束されることはない。
【０１２３】
別の実施形態において、第１基準信号が、ＢＦＤ−ＲＳであり、第２基準信号が、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、ＵＥがＦＲ２上で同時に伝送される第１基準信号及び第２基準信号を受信することをサポートしている場合、ネットワークは、ＵＥがビーム障害検出機能に関する信号処理タスクを実行したことに起因して、スケジューリングの利用可能性に対するいずれの制約にも拘束されることはない。
【０１２４】
前述の実施形態は、周波数範囲１（ＦＲ１）及び周波数範囲２（ＦＲ２）に適用可能である。前述の実施形態は、プライマリセル（Ｐセル）、プライマリセカンダリセル（ＰＳセル）、セカンダリセル（Ｓセル）及び隣接セルであるサービングセルに適用可能である。前述の実施形態の適用は、ＵＥによりサポートされる機能、例えば、（限定されることはないが）ＵＥがＦＲ１における信号の並行受信をサポートしている、ＵＥがＦＲ２における信号の並行受信をサポートしている、ＵＥが同じサブキャリア間隔での信号の並行受信をサポートしている、ＵＥが異なるサブキャリア間隔での信号の並行受信をサポートしている、ということに依拠している。
［スケジューリングの利用可能性／制約（ＢＦＲ−ＲＳ−同じサブキャリア間隔）］
【０１２５】
第１実施形態において、ネットワークは、ＵＥがビーム管理機能（例えば、ビーム障害回復）に関する信号処理タスクを実行したことに起因して適用するスケジューリングの利用可能性に対する制約により拘束される。第１基準信号は、ＢＦＲ−ＲＳであり、第２基準信号は、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害回復を実行しているときに、ネットワークは、ビーム障害回復のための測定対象であるＢＦＲ−ＲＳがマッピングされるシンボル上で第２基準信号をＵＥが受信する予定ではないことに起因して、スケジューリング制約を適用する。
【０１２６】
別の実施形態において、ネットワークは、ＵＥがビーム管理機能（例えば、ビーム障害回復）に関する信号処理タスクを実行したことに起因して適用するスケジューリングの利用可能性に対する制約により拘束される。第１基準信号は、ＢＦＲ−ＲＳであり、第２基準信号は、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害回復を実行中であり、ビーム障害回復タイマが構成されて実行中である場合、ネットワークは、ビーム障害回復のための測定対象であるＢＦＲ−ＲＳがマッピングされるシンボル上で第２基準信号をＵＥが受信する予定ではないことに起因して、スケジューリング制約を適用する。
【０１２７】
別の実施形態において、ネットワークは、ＵＥがビーム管理機能（例えば、ビーム障害回復）に関する信号処理タスクを実行したことに起因して適用するスケジューリングの利用可能性に対する制約により拘束される。第１基準信号は、ＢＦＲ−ＲＳであり、第２基準信号は、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害回復を実行中であり、ビーム障害回復タイマが構成されて実行中であり、かつ、ＵＥがランダムアクセス応答メッセージを受信するのを待機している場合、ネットワークは、ビーム障害回復のための測定対象であるＢＦＲ−ＲＳがマッピングされるシンボル上で第２基準信号をＵＥが受信する予定ではないことに起因して、スケジューリング制約を適用する。
【０１２８】
別の実施形態において、ネットワークは、ＵＥがビーム管理機能（例えば、ビーム障害回復）に関する信号処理タスクを実行したことに起因して適用するスケジューリングの利用可能性に対する制約により拘束される。第１基準信号は、ＢＦＲ−ＲＳであり、第２基準信号は、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害回復を実行中であり、ビーム障害回復タイマが構成されて実行中であり、かつ、ＵＥがランダムアクセスプリアンブルを伝送した場合、ネットワークは、ビーム障害回復のための測定対象であるＢＦＲ−ＲＳがマッピングされるシンボル上で第２基準信号をＵＥが受信する予定ではないことに起因して、スケジューリング制約を適用する。
【０１２９】
別の実施形態において、ネットワークは、ＵＥがビーム管理機能（例えば、ビーム障害回復）に関する信号処理タスクを実行したことに起因して適用するスケジューリングの利用可能性に対する制約により拘束される。第１基準信号は、ＢＦＲ−ＲＳであり、第２基準信号は、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがビーム障害回復を実行中であり、第１基準信号及び第２基準信号がＱＣＬタイプＤではない場合、ネットワークは、ビーム障害回復のための測定対象であるＢＦＲ−ＲＳがマッピングされるシンボル上で第２基準信号をＵＥが受信する予定ではないことに起因して、スケジューリング制約を適用する。
【０１３０】
別の実施形態において、第１基準信号が、ＢＦＤ−ＲＳであり、第２基準信号が、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、２つの基準信号がＦＲ１上で伝送される場合、ネットワークは、ＵＥがビーム管理機能に関する信号処理タスクを実行したことに起因して、スケジューリングの利用可能性に対するいずれの制約にも拘束されることはない。
【０１３１】
別の実施形態において、第１基準信号が、ＢＦＲ−ＲＳであり、第２基準信号が、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、ＵＥは、ＦＲ２上で同時に伝送される第１基準信号及び第２基準信号を受信することをサポートしている場合、ネットワークは、ＵＥがビーム管理機能に関する信号処理タスクを実行したことに起因して、スケジューリングの利用可能性に対するいずれの制約にも拘束されることはない。
【０１３２】
前述の実施形態は、周波数範囲１（ＦＲ１）及び周波数範囲２（ＦＲ２）に適用可能である。前述の実施形態は、プライマリセル（Ｐセル）、プライマリセカンダリセル（ＰＳセル）、セカンダリセル（Ｓセル）及び隣接セルであるサービングセルに適用可能である。前述の実施形態の適用は、ＵＥによりサポートされる機能、例えば、（限定されることはないが）ＵＥがＦＲ１における信号の並行受信をサポートしている、ＵＥがＦＲ２における信号の並行受信をサポートしている、ＵＥが同じサブキャリア間隔での信号の並行受信をサポートしている、ＵＥが異なるサブキャリア間隔での信号の並行受信をサポートしている、ということに依拠している。
［スケジューリングの利用可能性／制約（ＢＦＲ−ＲＳ−異なるサブキャリア間隔）］
【０１３３】
第１実施形態において、ネットワークは、ＵＥがビーム管理機能（例えば、ビーム障害回復）に関する信号処理タスクを実行したことに起因して適用するスケジューリングの利用可能性に対する制約により拘束される。第１基準信号は、ＢＦＲ−ＲＳであり、第２基準信号は、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、異なるサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがビーム障害回復を実行しているときに、ネットワークは、ビーム障害回復のための測定対象であるＢＦＲ−ＲＳがマッピングされるシンボル上で第２基準信号をＵＥが受信する予定ではないことに起因して、スケジューリング制約を適用する。
【０１３４】
別の実施形態において、ネットワークは、ＵＥがビーム管理機能（例えば、ビーム障害検出）に関する信号処理タスクを実行したことに起因して適用するスケジューリングの利用可能性に対する制約により拘束される。第１基準信号は、ＢＦＤ−ＲＳであり、第２基準信号は、いくつかの他の基準信号（例えば、ＲＬＭ−ＲＳ、ＢＦＲ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがビーム障害回復を実行中であり、ビーム障害回復タイマが構成されて実行中である場合、ネットワークは、ビーム障害回復のための測定対象であるＢＦＲ−ＲＳがマッピングされるシンボル上で第２基準信号をＵＥが受信する予定ではないことに起因して、スケジューリング制約を適用する。
【０１３５】
別の実施形態において、ネットワークは、ＵＥがビーム管理機能（例えば、ビーム障害回復）に関する信号処理タスクを実行したことに起因して適用するスケジューリングの利用可能性に対する制約により拘束される。第１基準信号は、ＢＦＲ−ＲＳであり、第２基準信号は、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがビーム障害回復を実行中であり、ビーム障害回復タイマが構成されて実行中であり、かつ、ＵＥがランダムアクセス応答メッセージを受信するのを待機している場合、ネットワークは、ビーム障害回復のための測定対象であるＢＦＲ−ＲＳがマッピングされるシンボル上で第２基準信号をＵＥが受信する予定ではないことに起因して、スケジューリング制約を適用する。
【０１３６】
別の実施形態において、第１基準信号が、ＢＦＲ−ＲＳであり、第２基準信号が、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、２つの基準信号がＦＲ１上で伝送される場合、ネットワークは、ＵＥがビーム管理機能に関する信号処理タスクを実行したことに起因して、スケジューリングの利用可能性に対するいずれの制約にも拘束されることはない。
【０１３７】
別の実施形態において、第１基準信号が、ＢＦＲ−ＲＳであり、第２基準信号が、いくつかの他の基準信号（例えば、ＲＬＭ−ＲＳ、ＢＦＤ−ＲＳ、Ｌ３モビリティ用のＳＳＢ、Ｌ３モビリティ用のＣＳＩ−ＲＳ、ＰＤＣＣＨ  ＤＭＲＳ、ＰＤＳＣＨ  ＤＭＲＳ）であり、かつ、ＵＥが、ＦＲ２上で同時に伝送される第１基準信号及び第２基準信号を受信することをサポートしている場合、ネットワークは、ＵＥがビーム障害回復機能に関する信号処理タスクを実行したことに起因して、スケジューリングの利用可能性に対するいずれの制約にも拘束されることはない。
【０１３８】
前述の実施形態は、周波数範囲１（ＦＲ１）及び周波数範囲２（ＦＲ２）に適用可能である。前述の実施形態は、プライマリセル（Ｐセル）、プライマリセカンダリセル（ＰＳセル）、セカンダリセル（Ｓセル）及び隣接セルであるサービングセルに適用可能である。前述の実施形態の適用は、ＵＥによりサポートされる機能、例えば、（限定されることはないが）ＵＥがＦＲ１における信号の並行受信をサポートしている、ＵＥがＦＲ２における信号の並行受信をサポートしている、ＵＥが同じサブキャリア間隔での信号の並行受信をサポートしている、ＵＥが異なるサブキャリア間隔での信号の並行受信をサポートしている、ということに依拠している。
［スケジューリングの利用可能性／制約（ＲＲＭ−ＲＳ−同じサブキャリア間隔）］
【０１３９】
第１実施形態において、ネットワークは、ＵＥがＬ３モビリティに関する信号処理タスクを実行したことに起因して適用するスケジューリングの利用可能性に対する制約により拘束される。第１基準信号は、Ｌ３モビリティ用のＲＳ（例えば、ＳＳＢ又はＣＳＩ−ＲＳ）であり、第２基準信号は、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがＬ３モビリティのための測定を実行しているときに、ネットワークは、Ｌ３モビリティのための測定対象であるＲＲＭ−ＲＳがマッピングされるシンボル上で第２基準信号をＵＥが受信する予定ではないことに起因して、スケジューリング制約を適用する。
【０１４０】
別の実施形態において、ネットワークは、ＵＥがＬ３モビリティに関する信号処理タスクを実行したことに起因して適用するスケジューリングの利用可能性に対する制約により拘束される。第１基準信号は、Ｌ３モビリティ用のＲＳ（例えば、ＳＳＢ又はＣＳＩ−ＲＳ）であり、第２基準信号は、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがＬ３モビリティのための測定を実行しているときに、ネットワークは、Ｌ３モビリティのための測定対象であるＲＲＭ−ＲＳがマッピングされるシンボル上で第２基準信号をＵＥが受信する予定ではないことに起因して、スケジューリング制約を適用する。
【０１４１】
別の実施形態において、ネットワークは、ＵＥがＬ３モビリティに関する信号処理タスクを実行したことに起因して適用するスケジューリングの利用可能性に対する制約により拘束される。第１基準信号は、Ｌ３モビリティ用のＲＳ（例えば、ＳＳＢ又はＣＳＩ−ＲＳ）であり、第２基準信号は、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）である。第１基準信号及び第２基準信号は、同じサブキャリア間隔を有し、周波数範囲２（ＦＲ２）において伝送される。ＵＥがＬ３モビリティ用のＳＳＢに対する測定を実行中であり、ＳＳＢがＳＳＢ測定タイミング設定（ＳＭＴＣ）ウィンドウ内に位置する場合、ネットワークは、Ｌ３モビリティのための測定対象であるＳＳＢがマッピングされる閾値距離内のシンボル上で第２基準信号をＵＥが受信する予定ではないことに起因して、スケジューリング制約を適用する。任意の時間単位（例えば、ＯＦＤＭシンボル、ＯＦＤＭシンボルのグループ、スロット）で、閾値距離が与えられてよい。
【０１４２】
別の実施形態において、第１基準信号が、Ｌ３モビリティ用のＲＳであり、第２基準信号が、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）であり、２つの基準信号がＦＲ１上で伝送される場合、ネットワークは、ＵＥがＬ３モビリティ機能に関する信号処理タスクを実行したことに起因して、スケジューリングの利用可能性に対するいずれの制約にも拘束されることはない。
【０１４３】
別の実施形態において、第１基準信号が、Ｌ３モビリティ用のＲＳであり、第２基準信号が、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）であり、かつ、ＵＥが、ＦＲ２上で同時に伝送される第１基準信号及び第２基準信号を受信することをサポートしている場合、ネットワークは、ＵＥがＬ３モビリティ機能に関する信号処理タスクを実行したことに起因して、スケジューリングの利用可能性に対するいずれの制約にも拘束されることはない。
【０１４４】
前述の実施形態は、周波数範囲１（ＦＲ１）及び周波数範囲２（ＦＲ２）に適用可能である。前述の実施形態は、プライマリセル（Ｐセル）、プライマリセカンダリセル（ＰＳセル）、セカンダリセル（Ｓセル）及び隣接セルであるサービングセルに適用可能である。前述の実施形態は、同一周波数測定又は異周波数測定に適用可能である。前述の実施形態の適用は、ＵＥによりサポートされる機能、例えば、（限定されることはないが）ＵＥがＦＲ１における信号の並行受信をサポートしている、ＵＥがＦＲ２における信号の並行受信をサポートしている、ＵＥが同じサブキャリア間隔での信号の並行受信をサポートしている、ＵＥが異なるサブキャリア間隔での信号の並行受信をサポートしている、ということに依拠している。
［スケジューリングの利用可能性／制約（ＲＲＭ−ＲＳ−異なるサブキャリア間隔）
【０１４５】
第１実施形態において、ネットワークは、ＵＥがＬ３モビリティに関する信号処理タスクを実行したことに起因して適用するスケジューリングの利用可能性に対する制約により拘束される。第１基準信号は、Ｌ３モビリティ用のＲＳ（例えば、ＳＳＢ又はＣＳＩ−ＲＳ）であり、第２基準信号は、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）である。第１基準信号及び第２基準信号は、異なるサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがＬ３モビリティのための測定を実行しているときに、ネットワークは、Ｌ３モビリティのための測定であるＲＲＭ−ＲＳがマッピングされるシンボル上で第２基準信号をＵＥが受信する予定ではないことに起因して、スケジューリング制約を適用する。
【０１４６】
別の実施形態において、ネットワークは、ＵＥがＬ３モビリティに関する信号処理タスクを実行したことに起因して適用するスケジューリングの利用可能性に対する制約により拘束される。第１基準信号は、Ｌ３モビリティ用のＲＳ（例えば、ＳＳＢ又はＣＳＩ−ＲＳ）であり、第２基準信号は、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）である。第１基準信号及び第２基準信号は、異なるサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがＬ３モビリティのための測定を実行しているときに、ネットワークは、Ｌ３モビリティのための測定対象であるＲＲＭ−ＲＳがマッピングされるシンボル上で第２基準信号をＵＥが受信する予定ではないことに起因して、スケジューリング制約を適用する。
【０１４７】
別の実施形態において、ネットワークは、ＵＥがＬ３モビリティに関する信号処理タスクを実行したことに起因して適用するスケジューリングの利用可能性に対する制約により拘束される。第１基準信号は、Ｌ３モビリティ用のＲＳ（例えば、ＳＳＢ又はＣＳＩ−ＲＳ）であり、第２基準信号は、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）である。第１基準信号及び第２基準信号は、異なるサブキャリア間隔を有し、周波数範囲２（ＦＲ２）において伝送される。ＵＥは、第１のサブキャリア間隔を介した第１基準信号、及び、第２のサブキャリア間隔を介した第２基準信号を同時に受信することをサポートしていない。ＵＥがＬ３モビリティ用のＳＳＢに対する測定を実行中であり、ＳＳＢがＳＳＢ測定タイミング設定（ＳＭＴＣ）ウィンドウ内に位置する場合、ネットワークは、Ｌ３モビリティのための測定対象であるＳＳＢがマッピングされる閾値距離内のシンボル上で第２基準信号をＵＥが受信する予定ではないことに起因して、スケジューリング制約を適用する。任意の時間単位（例えば、ＯＦＤＭシンボル、ＯＦＤＭシンボルのグループ、スロット）で、閾値距離が与えられてよい。
【０１４８】
別の実施形態において、第１基準信号が、Ｌ３モビリティ用のＲＳであり、第２基準信号が、いくつかの他の基準信号（例えば、ＲＬＭ−ＲＳ、ＢＦＤ−ＲＳ、ＢＦＲ−ＲＳ、ＰＤＣＣＨ  ＤＭＲＳ、ＰＤＳＣＨ  ＤＭＲＳ）であり、かつ、ＵＥがＦＲ２上で同時に伝送される第１基準信号及び第２基準信号を受信することをサポートしている場合、ネットワークは、ＵＥがＬ３モビリティ機能に関する信号処理タスクを実行したことに起因して、スケジューリングの利用可能性に対するいずれの制約にも拘束されることはない。
【０１４９】
前述の実施形態は、周波数範囲１（ＦＲ１）及び周波数範囲２（ＦＲ２）に適用可能である。前述の実施形態は、プライマリセル（Ｐセル）、プライマリセカンダリセル（ＰＳセル）、セカンダリセル（Ｓセル）及び隣接セルであるサービングセルに適用可能である。前述の実施形態の適用は、ＵＥによりサポートされる機能、例えば、（限定されることはないが）ＵＥがＦＲ１における信号の並行受信をサポートしている、ＵＥがＦＲ２における信号の並行受信をサポートしている、ＵＥが同じサブキャリア間隔での信号の並行受信をサポートしている、ＵＥが異なるサブキャリア間隔での信号の並行受信をサポートしている、ということに依拠している。
【０１５０】
上述した実施形態の１つ又は複数の組み合わせは、基準信号の多重化の任意の種類のシナリオに関してＵＥの挙動を規定するために用いられることができる。
【０１５１】
測定対象である第１基準信号がマッピングされるシンボルの時間領域における閾値距離内に第１基準信号及び第２基準信号がある場合に、スケジューリングの利用可能性に対する上記の制約の実施形態のすべてが適用可能である。
［項目１］
基準信号処理のための方法であって、
ユーザ機器（ＵＥ）により、ネットワークデバイスからメッセージを受信する段階であって、上記メッセージは、第１基準信号が第１リソースを介して伝送されること、及び、第２基準信号が第２リソースを介して伝送されることの両方を示す、段階と、
上記ＵＥにより、上記ＵＥの機能、及び、上記ネットワークデバイスから受信した上記メッセージに従って、少なくとも上記第１基準信号を受信する段階と
を備える方法。
［項目２］
上記第１基準信号及び上記第２基準信号は、異なる直交周波数分割多重（ＯＦＤＭ）ヌメロロジーを用いて伝送される、項目１に記載の方法。
［項目３］
上記第１基準信号は第１のビーム方向に従って伝送され、上記第２基準信号は第２のビーム方向に従って伝送される、項目１又は２に記載の方法。
［項目４］
少なくとも上記第１基準信号を受信する段階は、上記ＵＥが上記第１基準信号及び上記第２基準信号の両方の同時受信をサポートできるということに従って、上記第１基準信号及び上記第２基準信号の両方を受信する段階を有する、項目１から３のいずれか一項に記載の方法。
［項目５］
少なくとも上記第１基準信号を受信する段階は、上記ＵＥが上記第１基準信号及び上記第２基準信号の両方の同時受信をサポートできないということに従って、上記第２基準信号を受信することなく上記第１基準信号を受信する段階を有する、項目１から３のいずれか一項に記載の方法。
［項目６］
上記第１基準信号は、無線リンク監視（ＲＬＭ）処理のためのＲＬＭ基準信号であり、上記ＲＬＭ基準信号は、上記ＵＥのＴ３１０タイマの実行中に、上記ＵＥにより受信される、項目５に記載の方法。
［項目７］
上記第１基準信号は、ビーム障害検出（ＢＦＤ）処理のためのＢＦＤ基準信号であり、上記ＢＦＤ基準信号は、上記ＵＥのＢＦＤタイマの実行中に、上記ＵＥにより受信される、項目５に記載の方法。
［項目８］
上記第１基準信号は、ビーム障害回復（ＢＦＲ）処理のためのＢＦＲ基準信号であり、上記ＢＦＲ基準信号は、上記ＵＥのＢＦＲタイマの実行中に、上記ＵＥにより受信される、項目５に記載の方法。
［項目９］
上記第１基準信号は、無線リソース管理（ＲＲＭ）処理のためのＲＲＭ基準信号であり、上記ＲＲＭ基準信号がＳＳＢベースのＲＲＭ測定タイミング設定（ＳＭＴＣ）ウィンドウ内で伝送されるＳＳＢであることに応じて、上記ＵＥにより、上記ＲＲＭ基準信号が受信される、項目５に記載の方法。
［項目１０］
上記ＵＥにより、上記第１基準信号及び上記第２基準信号の両方の同時受信が上記ＵＥの上記機能によりサポートされていないと判定する段階と、
上記ＵＥにより、上記第２基準信号を無視する段階と
をさらに備える、項目１に記載の方法。
［項目１１］
上記ＵＥにより、上記受信した基準信号に基づいて、チャネル品質パラメータを測定する段階
をさらに備える、項目１から１０のいずれか一項に記載の方法。
［項目１２］
基準信号処理のための方法であって、
ネットワークデバイスにより、ユーザ機器（ＵＥ）からメッセージを受信する段階であって、上記メッセージは上記ＵＥの機能を示す、段階と、
上記ネットワークデバイスにより、上記ＵＥの上記機能に従って、第１基準信号及び第２基準信号をスケジューリングする段階であって、上記第１基準信号は、第１リソースを介して上記ＵＥに伝送されるように構成される、段階と
を備える方法。
［項目１３］
上記ＵＥが上記第１リソースを介した上記第１基準信号及び第２リソースを介した上記第２基準信号の両方の同時受信をサポートできないということに従って、上記第２基準信号が上記第２リソースを介して上記ＵＥに伝送されることが回避される、項目１２に記載の方法。
［項目１４］
上記第２基準信号は、上記ＵＥが上記第１リソースを介した上記第１基準信号及び第２リソースを介した上記第２基準信号の両方の同時受信をサポートできるということに従って、上記第２リソースを介して上記ＵＥに伝送されるように構成される、項目１２に記載の方法。
［項目１５］
上記第１基準信号及び上記第２基準信号は、異なる直交周波数分割多重（ＯＦＤＭ）ヌメロロジーを用いて伝送される、項目１２から１４のいずれか一項に記載の方法。
［項目１６］
上記第１基準信号は第１のビーム方向に従って伝送され、上記第２基準信号は第２のビーム方向に従って伝送される、項目１２から１５のいずれか一項に記載の方法。
［項目１７］
上記第１基準信号は、無線リンク監視（ＲＬＭ）処理のためのＲＬＭ基準信号である、項目１２から１６のいずれか一項に記載の方法。
［項目１８］
上記第１基準信号は、ビーム障害検出（ＢＦＤ）処理のためのＢＦＤ基準信号である、項目１２から１６のいずれか一項に記載の方法。
［項目１９］
上記第１基準信号は、ビーム障害回復（ＢＦＲ）処理のためのＢＦＲ基準信号である、項目１２から１６のいずれか一項に記載の方法。
［項目２０］
上記第１基準信号は、無線リソース管理（ＲＲＭ）処理のためのＲＲＭ基準信号である、項目１２から１６のいずれか一項に記載の方法。
［項目２１］
ユーザ機器（ＵＥ）であって、
命令を含む非一時的メモリストレージと、
上記非一時的メモリストレージと通信する１つ又は複数のプロセッサと
を備え、
上記１つ又は複数のプロセッサは、上記命令を実行して、
ネットワークデバイスからメッセージを受信する命令であって、上記メッセージは、第１基準信号が第１リソースを介して伝送されること、及び、第２基準信号が第２リソースを介して伝送されることの両方を示す、命令と、
上記ＵＥの機能、及び、上記ネットワークデバイスから受信した上記メッセージに従って、少なくとも上記第１基準信号を受信する命令と
を行う、ＵＥ。
［項目２２］
上記第１リソース及び上記第２リソースは、時間領域において、閾値距離内に位置する、項目２１に記載のＵＥ。
［項目２３］
少なくとも上記第１基準信号を受信する上記命令は、上記第１基準信号を受信し、上記ＵＥが、上記第１基準信号及び上記第２基準信号の両方の同時受信をサポートできないことに従って、上記第２基準信号を無視する命令を有する、項目２１又は２２に記載のＵＥ。
［項目２４］
少なくとも上記第１基準信号を受信する上記命令は、上記ＵＥが上記第１基準信号及び上記第２基準信号の両方の同時受信をサポートできるということに従って、上記第１基準信号及び上記第２基準信号を受信する命令を有する、項目２１又は２２に記載のＵＥ。
［項目２５］
上記第１基準信号は、無線リンク監視（ＲＬＭ）処理のためのＲＬＭ基準信号であり、上記ＲＬＭ基準信号は、上記ＵＥのＴ３１０タイマの実行中に、上記ＵＥにより受信される、項目２１から２４のいずれか一項に記載のＵＥ。
［項目２６］
上記第１基準信号は、ビーム障害検出（ＢＦＤ）処理のためのＢＦＤ基準信号であり、上記ＢＦＤ基準信号は、上記ＵＥのＢＦＤタイマの実行中に、上記ＵＥにより受信される、項目２１から２４のいずれか一項に記載のＵＥ。
［項目２７］
上記第１基準信号は、ビーム障害回復（ＢＦＲ）処理のためのＢＦＲ基準信号であり、上記ＢＦＲ基準信号は、上記ＵＥのＢＦＲタイマの実行中に、上記ＵＥにより受信される、項目２１から２４のいずれか一項に記載のＵＥ。
［項目２８］
上記第１基準信号は、無線リソース管理（ＲＲＭ）処理のためのＲＲＭ基準信号であり、上記ＲＲＭ基準信号がＳＳＢベースのＲＲＭ測定タイミング設定（ＳＭＴＣ）ウィンドウ内で伝送されるＳＳＢであることに応じて、上記ＲＲＭ基準信号は、上記ＵＥにより受信される、項目２１から２４のいずれか一項に記載のＵＥ。
［項目２９］
上記１つ又は複数のプロセッサは、上記命令を実行して、さらに、
上記ＵＥの上記機能により、上記第１基準信号及び上記第２基準信号の両方の同時受信がサポートされていないと判定する命令と、
上記第２基準信号を無視する命令と
を行う、項目２１に記載のＵＥ。
［項目３０］
上記１つ又は複数のプロセッサは、上記命令を実行して、さらに、
上記受信した基準信号に基づいて、チャネル品質パラメータを測定する命令を行う、項目２１から２９のいずれか一項に記載のＵＥ。
［項目３１］
ネットワークデバイスは、
命令を含む非一時的メモリストレージと、
上記非一時的メモリストレージと通信する１つ又は複数のプロセッサと
を備え、
上記１つ又は複数のプロセッサは、上記命令を実行して、
ユーザ機器（ＵＥ）からメッセージを受信する命令であって、上記メッセージは上記ＵＥの機能を示す、命令と、
上記ＵＥの上記機能に従って、第１基準信号及び第２基準信号をスケジューリングする命令であって、上記第１基準信号は、第１リソースを介して上記ＵＥに伝送されるように構成される、命令と
を行う、ネットワークデバイス。
［項目３２］
上記ＵＥが上記第１リソースを介した上記第１基準信号及び第２リソースを介した上記第２基準信号の両方の同時受信をサポートできないということに従って、上記第２基準信号が上記第２リソースを介して上記ＵＥに伝送されることが回避される、項目３１に記載のネットワークデバイス。
［項目３３］
上記第２基準信号は、上記ＵＥが上記第１リソースを介した上記第１基準信号及び上記第２リソースを介した上記第２基準信号の両方の同時受信をサポートできるということに従って、第２リソースを介して上記ＵＥに伝送されるように構成される、項目３１に記載のネットワークデバイス。
［項目３４］
上記第１基準信号及び上記第２基準信号は、異なる直交周波数分割多重（ＯＦＤＭ）ヌメロロジーを用いて伝送される、項目３１から３３のいずれか一項に記載のネットワークデバイス。
［項目３５］
上記第１基準信号は第１のビーム方向に従って伝送され、上記第２基準信号は第２のビーム方向に従って伝送される、項目３１から３４のいずれか一項に記載のネットワークデバイス。
［項目３６］
上記第１基準信号は、無線リンク監視（ＲＬＭ）処理のためのＲＬＭ基準信号である、項目３１から３５のいずれか一項に記載のネットワークデバイス。
［項目３７］
上記第１基準信号は、ビーム障害検出（ＢＦＤ）処理のためのＢＦＤ基準信号である、項目３１から３５のいずれか一項に記載のネットワークデバイス。
［項目３８］
上記第１基準信号は、ビーム障害回復（ＢＦＲ）処理のためのＢＦＲ基準信号である、項目３１から３５のいずれか一項に記載のネットワークデバイス。
［項目３９］
上記第１基準信号は、無線リソース管理（ＲＲＭ）処理のためのＲＲＭ基準信号である、項目３１から３５のいずれか一項に記載のネットワークデバイス。
【図１】
2021533652.tif 000003
【図２】
2021533652.tif 000004
【図３】
2021533652.tif 000005
【図４】
2021533652.tif 000006
【図５】
2021533652.tif 000007
【図６】
2021533652.tif 000008
【図７】
2021533652.tif 000009
【図８】
2021533652.tif 000010
【図９】
2021533652.tif 000011
【図１０】
2021533652.tif 000012
【図１１】
2021533652.tif 000013
【図１２】
2021533652.tif 000014
【図１３】
2021533652.tif 000015
【図１４】
2021533652.tif 000016
【図１５】
2021533652.tif 000017
【図１６】
2021533652.tif 000018
【図１７】
2021533652.tif 000019
【図１８Ａ】
2021533652.tif 000020
【図１８Ｂ】
2021533652.tif 000021
【図１９】
2021533652.tif 000022
【国際調査報告】
2021533652.tif 000023
2021533652.tif 000024
2021533652.tif 000025